(57)【要約】  吸入器は、患者ポート、及び患者ポートを覆う閉位置と患者ポートがアクセス可能である開位置との間でカバー軸の周りに回転可能なカバーを有するハウジングと、カバー軸が薬剤収容器と交差する薬剤収容器を囲むばねを含み、カバーは、閉位置から開位置に向けて回転する際に、弾性構造を駆動して内部にエネルギーを蓄積するように構成されている。
2019526399.tif 000002
【特許請求の範囲】
【請求項１】
患者ポート、及び前記患者ポートを覆う閉位置と前記患者ポートがアクセス可能である開位置との間でカバー軸の周りに回転可能なカバーを有するハウジングと、
弾性部材を含み、薬剤収容器を受ける空間を画定する、前記ハウジング内のエネルギー蓄積構成とを含み、
前記カバー軸は前記空間と交わり、前記カバーは、前記閉位置から前記開位置に向けて回転する際に、前記弾性部材を駆動して内部にエネルギーを蓄積するように構成されている、吸入器。
【請求項２】
前記カバーの回転の際に前記弾性部材に直線的な力を生成するように、前記カバーと前記エネルギー蓄積構成との間にカムが設けられている、請求項１に記載の吸入器。
【請求項３】
前記カムは、前記カバーによって駆動される、前記カバー軸からオフセットされたカム部材を含み、前記カム部材は、前記エネルギー蓄積構成の係合構造に係合する、請求項２に記載の吸入器。
【請求項４】
前記弾性部材は前記係合構造を画定する、請求項３に記載の吸入器。
【請求項５】
前記弾性部材は前記空間を画定する、請求項１〜４のいずれか一項に記載の吸入器。
【請求項６】
前記弾性部材は、弾性部分を有する概ね管状の部材である、請求項５に記載の吸入器。
【請求項７】
前記弾性部分は、伸張状態においてエネルギーを蓄積するように構成されている伸張可能部分である、請求項６に記載の吸入器。
【請求項８】
前記弾性部分は、複数の開口が画定された円筒体を含む、請求項７に記載の吸入器。
【請求項９】
前記複数の開口は、複数のオフセットされた列状に配置されている、請求項８に記載の吸入器。
【請求項１０】
前記開口は、周方向に延びる細長いスロットである、請求項８または９に記載の吸入器。
【請求項１１】
前記エネルギー蓄積構成は、前記カバーから前記弾性部材へ力を伝達するように構成されたスリーブを含む、請求項１〜３のいずれか一項に記載の吸入器。
【請求項１２】
前記係合構造は前記スリーブ上に画定されている、請求項３に従属する場合の請求項１１に記載の吸入器。
【請求項１３】
前記弾性部材は、伸張状態においてエネルギーを蓄積するように伸張可能である、請求項１２に記載の吸入器。
【請求項１４】
前記スリーブは前記弾性部材を少なくとも部分的に囲む、請求項１３に記載の吸入器。
【請求項１５】
前記スリーブと前記弾性部材は前記カバー軸から間隔を置いた位置に取り付けられている、請求項１４に記載の吸入器。
【請求項１６】
前記弾性部材は、圧縮状態においてエネルギーを蓄積するように圧縮可能である、請求項１２に記載の吸入器。
【請求項１７】
前記スリーブは前記弾性部材を少なくとも部分的に囲む、請求項１６に記載の吸入器。
【請求項１８】
前記エネルギー蓄積構成は、前記弾性部材を圧縮するように前記スリーブに相対的に軸方向に動くことができるばね当接部を含む、請求項１７に記載の吸入器。
【請求項１９】
前記カバーは、前記エネルギー蓄積構成の２つの対向する位置において前記エネルギー蓄積構成を駆動するように構成されている、請求項１〜１８のいずれか一項に記載の吸入器。
【請求項２０】
第１のハウジング部分と、
患者ポートと、
前記患者ポートを覆う閉位置と前記患者ポートがアクセス可能である開位置との間の動きの動作範囲内でカバー軸のまわりに回転可能であるように、嵌合構造を介して前記第１のハウジング部分に搭載されたカバーとを含む、吸入器であって、
前記嵌合構造は、前記動きの動作範囲の外側にある前記カバーの少なくとも１つの所定の回転位置において、前記ハウジング部分と前記カバーとの組み立てを許容するように構成され、
前記カバーは、当該吸入器の更なる構成部品によって前記所定の回転位置又は位置の範囲に入ることが妨げられる、吸入器。
【請求項２１】
前記更なる構成部品は第２のハウジング部分である、請求項２０に記載の吸入器。
【請求項２２】
前記第１のハウジング部分及び前記第２のハウジング部分は、薬剤収容器を受けるための容積を画定する、請求項２１に記載の吸入器。
【請求項２３】
前記更なる構成部品は前記患者ポートを含む、請求項２０〜２２のいずれか一項に記載の吸入器。
【請求項２４】
前記嵌合構造は、
開口を有する第１の側面と、
前記開口に係合し前記開口において回転するように構成された突出する軸を有する第２の側面とを含み、
前記開口及び前記軸は、前記開口の中への前記軸の通行が前記カバーの前記少なくとも１つの所定の回転位置でのみ可能であるように形作られている、請求項２０〜２３のいずれか一項に記載の吸入器。
【請求項２５】
前記開口及び前記軸は、少なくとも１つの突出する部分を画定し、前記軸の前記突出する部分は、前記少なくとも１つの所定の位置で前記開口の前記突出する部分を通過することができ、前記軸の前記突出する部分は、前記動きの動作範囲で前記第１のハウジング部分の表面に対して前記カバーを保持するように作動する、請求項２４に記載の吸入器。
【請求項２６】
前記開口及び前記軸は、少なくとも２つの突出する部分を画定する請求項２５に記載の吸入器。
【請求項２７】
前記嵌合構造は、
内方に突出する保持構造を画定する開口を有する第１の側面と、
前記保持構造を受けるための凹部を有する突出する軸を有する第２の側面を含み、
前記保持構造及び前記凹部は、前記第１と第２の側面を前記少なくとも１つの所定位置で嵌合可能にするようにのみ係合可能である、請求項２０〜２６のいずれか一項に記載の吸入器。
【請求項２８】
前記第１の側面は前記第１のハウジング部分上に画定され、前記第２の側面は前記カバー上に画定されている、請求項２４〜２７のいずれか一項に記載の吸入器。
【請求項２９】
前記カバーは、前記第１のハウジング部分の対向する側面に搭載するための２つのアームを含み、前記アームは、組み立てを可能にするように互いに弾性的に変形可能である、請求項２０〜２８のいずれか一項に記載の吸入器。
【請求項３０】
薬剤収容器を受けるための空間を画定する弾性構造を前記ハウジング内に含み、
前記カバーは、前記閉位置から前記開位置に向けて回転する際に、前記弾性構造を駆動して内部にエネルギーを蓄積するように構成されている、請求項２０〜２９のいずれか一項に記載の吸入器。
【請求項３１】
患者ポート、及び前記患者ポートを覆う閉位置と前記患者ポートがアクセス可能である開位置との間でカバー軸の周りに回転可能なカバーを有するハウジングと、
薬剤収容器を受けるための空間を画定する、前記ハウジング内の伸張可能な弾性構造とを含み、
前記カバーは、前記閉位置から前記開位置に向けて回転する際に、前記弾性構造を駆動して内部にエネルギーを蓄積するように構成されている、吸入器。
【請求項３２】
前記カバーの回転の際に前記弾性構造に直線的な力を生成するように、前記カバーと前記弾性構造との間にカムが設けられている、請求項３１に記載の吸入器。
【請求項３３】
前記カムは、前記カバーによって駆動される、前記カバー軸からオフセットされたカム部材を含み、前記カム部材は、前記弾性構造に接続された受け構造に係合する、請求項３２に記載の吸入器。
【請求項３４】
前記カバーから前記弾性部材へ力を伝達するように設けられたスリーブを含み、前記スリーブは、前記弾性構造を少なくとも部分的に囲み、前記カバー軸から間隔を置いた位置で前記弾性構造に接続されている、請求項３２または３３に記載の吸入器。
【請求項３５】
前記受け構造は前記スリーブ上に設けられている、請求項３３に従属する場合の請求項３４に記載の吸入器。
【請求項３６】
前記弾性構造は、前記空間に配置された薬剤収容器に圧縮力を加えるように構成されている第１の端と前記第１の端から間隔を置いて配置された第２の端とを含み、前記スリーブは前記第２の端に接続されている、請求項３４または３５に記載の吸入器。
【請求項３７】
前記空間に配置されたキャニスタを含み、前記キャニスタは、前記薬剤収容器及び弁部材を含み、前記弾性構造の前記第２の端は前記第１の端よりも前記弁部材により近く配置されている、請求項３６に記載の吸入器。
【請求項３８】
前記カムは前記カバーによって駆動されるカム軸を含み、前記カム軸は受け構造を含み、前記受け構造は前記弾性構造に接続された被駆動部材に係合される、請求項３２に記載の吸入器。
【請求項３９】
前記カバーは、前記弾性構造の２つの対向する位置において前記弾性構造を駆動するように構成されている、請求項３１〜３８のいずれか一項に記載の吸入器。
【請求項４０】
前記弾性構造はばねである、請求項３１〜３９のいずれか一項に記載の吸入器。
【請求項４１】
前記ばねは、複数の開口が画定された円筒体を含む、請求項４０に記載の吸入器。
【請求項４２】
前記複数の開口は、複数のオフセットされた列状に配置されている、請求項４１に記載の吸入器。
【請求項４３】
前記開口は、周方向に延びる細長いスロットである、請求項４１または４２に記載の吸入器。
【発明の詳細な説明】
【技術分野】
【０００１】
（関連出願の相互参照）
本出願は、２０１６年９月７日に出願された英国出願第１６１５１８６．２号の利益を主張するものであり、その開示の全容が参照により本明細書に組み込まれる。
【０００２】
本出願は、吸入器特に呼吸作動式医薬吸入器内の用量放出起動機構用のエネルギー蓄積機構に関する。本出願はまた、かかるエネルギー蓄積機構を含む、吸入器、特にある種類の薬剤容器を入れる医薬吸入器に関連する。
【背景技術】
【０００３】
呼吸器官の及び他の疾患の治療に対する気道へのエアロゾル化薬剤の送達は、加圧噴霧式定量吸入器（ｐＭＤＩ）、ドライパウダ吸入器（ＤＰＩ）、及び噴霧器を用いて行われている。ｐＭＤＩ吸入器は、喘息又は慢性閉塞性肺疾患（ＣＯＰＤ）のいずれかに罹患している多くの患者によく知られている。ｐＭＤＩ装置は、絞り弁で密封され医薬製剤が入っているアルミウムキャニスタを含むキャニスタを含むことが多い。一般的に、医薬の製剤は、加圧され、液状ヒドロフルオロアルカン（hydrofluoroalkane、ＨＦＡ）推進剤中に懸濁させた１種以上の医薬品化合物の微細粒子、又は推進剤／共溶媒系に溶解させた１種以上の医薬品化合物の溶液のいずれかを含む。溶液及び懸濁の両方の形態においてダグ（dugs）を含む製剤も知られている。
【０００４】
肺疾患のｐＭＤＩでは、封止されたキャニスタが、アクチュエータ内にある状態で患者へ提供される。アクチュエータは、キャニスタを囲む概ね円筒状の垂直のチューブに加えて吸気（又は吸入）オリフィスを画定する患者部分（例えば、マウスピース又はノーズピース）を形成する概ね水平のチューブを含む概ねＬ形状の樹脂成形物である。そのような吸入器を使用するために、患者は息を吐き出し、体腔（例えば、口又は鼻）の中に患者ポートを配置した後、吸気オリフィスを通して空気を引き込むように吸入することができる。そのような吸入器の多くは、経肺用の「プレスアンドブリーズ」型であり、この型では、患者が、絞り弁を動作させるキャニスタの突出端を押し下げて定量の薬剤をキャニスタから吸入される空気流の中へ、そしてそこからマウスピースを通して患者の肺へと放出する。これは、噴霧化された薬剤の発生している雲霧が最大の治療の利得を提供するに十分に奥に肺の中へ取り込まれる必要がある場合には、吸入のタイミングと用量の放出の調整を必要とすることもある。患者が、吸入流ができ上がる前に、用量を放出した場合、薬の一部はマウスピース又は患者の口内で失われるであろう。逆に、吸入の開始のかなり後に放出された場合、肺の深部領域は、既に空気で充満し、放出薬剤エアロゾルの次のボーラスが入り込まないこともある。
【０００５】
発生する薬剤エアロゾルのプルームの速度を低下させるために、かつ、薬物エアロゾルが膨張することができる、その推進剤がより完全に蒸発できる容積を提供するために、ｐＭＤＩのマウスピース上に装着するスペーサデバイスがこれまでに考案されている。このスペーサデバイスは、協調の問題のいくつかを回避するとともに、過度に速い薬の粒子の吸入に起因する高い咽頭沈着の傾向も回避する役割を果たす。しかしながら、スペーサデバイスは嵩張り、過度の割合の薬をその壁に保留することもあり、これによって患者に届く用量を減少させる。スペーサデバイスは、また、静電荷に非常に敏感であることもあり、多くの場合、スペーサデバイスが洗浄される又は乾燥される仕方に強く影響を受けることもある。
【０００６】
一部の患者にとって大きな問題となり得ることを克服するために、自動呼吸作動式起動機構を用いて、患者の吸い込む息のみに応答して用量を放出するｐＭＤＩ装置設計が創出されている。典型的には、ユーザによって準備され（例えば、ばねを圧縮することによって）及び起動機構によって開放されてキャニスタ上に作動負荷を提供することによって薬剤を放出するエネルギー蓄積手段が設けられる。一旦起動されると、吸入器は、リセット機構によって次の動作のためにリセットされる必要がある。
【０００７】
３Ｍ  Ｃｏｍｐａｎｙ、Ｓｔ．Ｐａｕｌ、ＭＮ、ＵＳＡから入手可能なＡＵＴＯＨＡＬＥＲ（登録商標）定量吸入器及びＴｅｖａ  Ｐｈａｒｍａｃｅｕｔｉｃａｌ  Ｉｎｄｕｓｔｒｉｅｓ  Ｌｔｄ．（Ｉｓｒａｅｌ）から入手可能なＥＡＳＩＢＲＥＡＴＨＥ（登録商標）吸入器は、呼吸作動を用い、用量放出を吸入とより適切に協調させようと試みる２つのそのようなｐＭＤＩ装置である。多くの他の吸入器呼吸作動式機構及びリセット機構が提案されているが、１つ以上の弱点又は不利な点を有する傾向がある、例えば、構成部品の数が多い（したがって、製造コストが高い）、複雑さ（典型的には、組立の困難さ及び／又は複雑な寸法許容差の積重ね、その他のもとになる）、性能の問題（休止及び／又は吸入の前における安定性に対する感度（軽い起動させる力）の調整が困難である）及び／又は過度の大きさ及び／又はより親しみにくい若しくはより扱いにくい全体的な吸入器の形状である。既存の装置のいくつかは、典型的には安定でありかつまだその上に高感度であるように厳しく許容差が制限される必要がある機械式呼吸作動システムを用いている。これは、製造コストを増加させ、より高い部品不良の結果となることもある。
【０００８】
コストの問題は、ジェネリック薬品の市場又はアジアの市場などの価格に敏感な市場を考慮するとき特に重大事である。本開示の実施形態は、価格に敏感な市場においてでさえたいへん魅力的にするに十分低い製造コストで呼吸作動式吸入器用のリセット機構を提供しようとするものである。
【０００９】
関連する更なる問題は、吸入器に設けられたエネルギー蓄積手段は装置が起動される前に十分に準備される必要がある場合もあることである。（例えば）ばねの不適切な圧縮又は伸張は、薬剤の完全な放出に必要とされる移動のためにキャニスタに望ましい力を加える十分なエネルギーを蓄積しないこともある。最後に、吸入器ユニット自体の不測の又は意図的な分解を抑止して、そのような分解によって引き起こされる故障や場合によっては損傷を避けることは、有益である。
【００１０】
欧州特許出願第ＥＰ０４２８３８０号は、吸入器が起動ばねのバイアスに対する可動カバーの動きによって転置される、ハウジング内の呼吸作動式吸入器を開示している。この装置の問題は、カバーがマウスピースの基体に作用してばねのバイアスに対して吸入器全体を動かすことである。これは、特別に改造された吸入器胴体、及び、十分なばねの圧縮の前の使用のリスクを伴う、カバーが十分に回転して「オーバセンタ」になることを必要とすることもある。
【００１１】
国際特許出願ＷＯ２００５／０９４４００号は、引張ばねがカバーの回転によって伸張される吸入器を開示している。繰返すと、カバーは、完全に回転してばねに十分に張力をかける必要があることもある。したがって、「準備不足の」ときの使用が起こり得る。また、別個のばね室を必然的に含めることは装置本体を大きくすることがわかるであろう。
【００１２】
国際特許出願ＷＯ２００４／０７１５６３号は、アクチュエータ、マウスピース及びダストキャップを有する投与装置を開示している。ダストキャップの回転は、保持部材をアクチュエータ内で下方へマウスピースに向けて動かす。
【発明の概要】
【００１３】
本発明の一実施形態に従う吸入器は、
患者ポート、及び上記患者ポートを覆う閉位置と上記患者ポートがアクセス可能である開位置との間でカバー軸の周りに回転可能なカバーを有するハウジングと、
弾性部材を含み、薬剤収容器を受ける空間を画定する、上記ハウジング内のエネルギー蓄積構成とを含み、
上記カバー軸は上記空間と交わり、上記カバーは、上記閉位置から上記開位置に向けて回転する際に、上記弾性部材を駆動して内部にエネルギーを蓄積するように構成されている。
【００１４】
好都合にも、そのような構成を設けることは、結果としてカバーの回転を通した高度な力を生成することもできるたいへんコンパクトな吸入器機構となる。
【００１５】
好ましくは、上記カバーの回転の際に上記弾性部材に直線的な力（すなわち、カバーが回転するにつれて、力が方向を変化させない）を生成するように、上記カバーと上記エネルギー蓄積構成との間にカムが設けられている。より好ましくは、上記カムは、上記カバーによって駆動される、上記カバー軸からオフセットされたカム部材を含み、上記カム部材は、上記エネルギー蓄積構成の係合構造に係合する。好ましくは、上記弾性部材は上記係合構造を画定する。好都合にも、カムの配設は、カバーの回転の動きを、直線的なばねを圧縮するために用いられることができる直線的な動きに変換する。
【００１６】
好ましくは、上記弾性部材は上記空間を画定する。したがって、ばねは使用中のキャニスタを囲むことができて、たいへんコンパクトな構成となる。好ましくは、上記弾性部材は弾性部分を有する概ね管状の部材であり、上記弾性部分は伸張状態においてエネルギーを蓄積するように構成されている伸張可能部分であってもよい。上記弾性部分は、複数の開口が画定された円筒状体を含んでいてもよく、望ましくは、上記複数の開口は複数のオフセットされた列状に配置されている。好ましくは、別の方法の単一胴体における上記開口は周方向に延びる細長いスロットである。そのようなものとして、弾性部材は、成形されたばねであってもよい。
【００１７】
代替的に、上記カムの上記係合構造は上記スリーブ上に画定されて、上記エネルギー蓄積構成は上記カバーから上記弾性部材へ力を伝達するように構成されたスリーブを含んでもよい。上記弾性部材は伸張状態においてエネルギーを蓄積するように伸張可能であってもよい。
【００１８】
上記スリーブは上記弾性部材を少なくとも部分的に囲んでもよく、これによって、弾性部分が軸方向により長くなり作動のためのより多くのエネルギーを潜在的に蓄積することを可能にする。好ましくは、上記スリーブと上記弾性部材は上記カバー軸から間隔を置いた位置に取り付けられている。
【００１９】
伸張可能な弾性部材に代替的に、上記弾性部材は圧縮状態においてエネルギーを蓄積するように圧縮可能であってもよい。上記エネルギー蓄積構成は上記弾性部材を圧縮してエネルギーを蓄積するように上記スリーブに相対的に軸方向に動くことができるばね当接部を含んでもよい。
【００２０】
好ましくは、上記カバーは上記エネルギー蓄積構成の２つの対向する位置において上記エネルギー蓄積構成を駆動するように構成されている。これは、ばねに均衡のとれた軸方向の力を提供する。
【００２１】
本発明の一実施形態に従って、
吸入器であって、
第１のハウジング部分と、
患者ポートと、
上記患者ポートを覆う閉位置と上記患者ポートがアクセス可能である開位置との間の動きの動作範囲内でカバー軸の周りに回転可能であるように、嵌合構造を介して上記第１のハウジング部分に搭載されたカバーとを含み、
上記嵌合構造は、上記動きの動作範囲の外側にある上記カバーの少なくとも１つの所定の回転位置において、上記ハウジング部分と上記カバーとの組み立てを許容するように構成され、
上記カバーは、当該吸入器の更なる構成部品によって上記所定の回転位置又は位置の範囲に入ることが妨げられる吸入器が提供される。
【００２２】
好都合にも、これは、吸入器の動作を損なうこともある、偶発的に又は故意にカバーをユーザが取り外すことを防ぐ。
【００２３】
好ましくは、上記更なる構成部品は第２のハウジング部分であり、上記第１のハウジング部分と上記第２のハウジング部分はｐＭＤＩキャニスタを受けるための容積を画定する。好ましくは、上記更なる構成部品は上記患者ポートを含む。
【００２４】
好ましくは、上記嵌合構造は、
開口を有する第１の側面と、
上記開口に係合し上記開口において回転するように構成された突出する軸を有する第２の側面とを含み、
上記開口及び上記軸は、上記開口の中への上記軸の通行が上記カバーの上記少なくとも１つの所定の回転位置でのみ可能であるように形作られている。
【００２５】
より好ましくは、上記開口及び上記軸は、少なくとも１つの突出する部分を画定し、上記軸の上記突出する部分は上記少なくとも１つの所定の位置で上記開口の上記突出する部分を通過することができ、上記軸の上記突出する部分は、上記動きの動作範囲で上記第１のハウジング部分の表面に対して上記カバーを保持するように作動する。
【００２６】
好ましくは、上記開口及び上記軸は少なくとも２つの突出する部分を画定する。
【００２７】
上記嵌合構造は、
内方に突出する保持構造を画定する開口を有する第１の側面と、
上記保持構造を受けるための凹部を有する突出する軸を有する第２の側面とを含み、
上記保持構造及び上記凹部は、上記第１と第２の側面を上記少なくとも１つの所定位置で嵌合可能にするようにのみ係合可能であってもよい。
【００２８】
上記第１の側面は上記第１のハウジング部分上に画定され、上記第２の側面は上記カバー上に画定されていてもよい。
【００２９】
好ましくは、上記カバーは上記第１のハウジング部分の対向する側面に搭載するための２つのアームを含み、上記アームは組み立てを可能にするように互いに離れて弾性的に変形可能である。
【００３０】
好ましくは、
薬剤収容キャニスタを受けるための空間を画定する弾性構造が上記ハウジング内に設けられ、
上記カバーは、上記閉位置から上記開位置に向けて回転する際に、上記弾性構造を駆動して内部にエネルギーを蓄積させるように構成されている。
【００３１】
本発明の一実施形態に従って、吸入器であって、
患者ポート、及び上記患者ポートを覆う閉位置と上記患者ポートがアクセス可能である開位置との間でカバー軸の周りに回転可能なカバーを有するハウジングと、
ｐＭＤＩキャニスタを受けるための空間を画定する、上記ハウジング内の伸張可能な弾性構造とを含み、
上記カバーは、上記閉位置から上記開位置に向けて回転する際に、伸張状態の上記弾性構造を駆動して内部にエネルギーを蓄積させるように構成されている吸入器が提供される。
【００３２】
好都合にも、伸張状態のばねを提供することは、使用中にばねが横に変形する（すなわち、ゆがむ）どのような傾向も減少させる。
【００３３】
好ましくは、上記カバーの回転の際に上記弾性構造に直線的な力を生成するように、上記カバーと上記弾性構造との間にカムが設けられている（すなわち、カバーが回転するにつれて、力が方向を変化させない）。これは、弾性部材に張力をかける、機械的に簡単でかつ信頼性のある手段を提供する。
【００３４】
好ましくは、上記カムは、上記カバーによって駆動される、上記カバー軸からオフセットされたるカム部材を含み、上記カム部材は、上記弾性構造に接続された受け構造に係合する。
【００３５】
好ましくは、上記カバーから上記弾性部材へ力を伝達するように構成されたスリーブが設けられ、上記スリーブは、上記弾性構造を少なくとも部分的に囲み、上記カバー軸から間隔を置いた位置で上記弾性構造に接続されている。
【００３６】
好ましくは、上記受け構造は上記スリーブ上に設けられている。
【００３７】
好ましくは、上記弾性構造は、上記空間に配置されたキャニスタに圧縮力を加えるように構成されている第１の端と上記第１の端から間隔を置いて配置された第２の端を含み、上記スリーブは上記第２の端に接続されている。
【００３８】
好ましくは、上記空間に配置されたｐＭＤＩキャニスタが設けられ、上記キャニスタは、キャニスタ及び弁部材を含み、上記弾性構造の上記第２の端は上記第１の端よりも上記弁部材により近く配置されている。
【００３９】
好ましくは、上記カムは上記カバーによって駆動されるカム軸を含み、上記カム軸は受け構造を含み、上記受け構造は上記弾性構造に接続された被駆動部材によって係合する。
【００４０】
好ましくは、上記カバーは上記弾性構造の２つの対向する位置において上記弾性構造を駆動するように構成されている。
【００４１】
好ましくは、上記弾性構造は、複数の開口が画定された円筒状体を含むばねである。
【００４２】
好ましくは、上記複数の開口は複数のオフセットされた列状に配置されている。上記開口は周方向に延びる細長いスロットであってもよい。
【図面の簡単な説明】
【００４３】
【図１】従来技術の加圧噴霧式定量吸入器（ｐＭＤＩ）の側断面図である。
【図２】第１の（休止）状態における、本発明の一実施形態に従うｐＭＤＩの第１の準備及びリセット機構の斜視図である。
【図３】図２の準備及びリセット機構の分解図である。
【図４】図２の準備及びリセット機構のアクチュエータリングの斜視図である。
【図５】図２の準備及びリセット機構のシリンダの斜視図である。
【図５ａ】図５のシリンダの部分の詳細断面図である。
【図６ａ】図２の準備及びリセット機構のピストンの斜視図である。
【図６ｂ】図２の準備及びリセット機構のピストンの斜視図である。
【図６ｃ】図２の準備及びリセット機構のピストンの斜視図である。
【図７】図２の準備及びリセット機構のピストンのＯリングの斜視図である。
【図８ａ】図２の準備及びリセット機構のピストンのカラーの斜視図である。
【図８ｂ】図２の準備及びリセット機構のピストンのカラーの斜視図である。
【図９】図２の準備及びリセット機構のトランスファの斜視図である。
【図１０】図２の準備及びリセット機構のばねの斜視図である。
【図１１ａ】図２の準備及びリセット機構のアクチュエータ体の斜視図である。
【図１１ｂ】図２の準備及びリセット機構のアクチュエータ体の斜視図である。
【図１２ａ】それぞれ図２の準備及びリセット機構のマウスピースカバーの斜視図及び断面図である。
【図１２ｂ】それぞれ図２の準備及びリセット機構のマウスピースカバーの斜視図及び断面図である。
【図１３ａ】休止状態における図２の準備及びリセット機構のさまざまな部品の断面図である。
【図１３ｂ】休止状態における図２の準備及びリセット機構のさまざまな部品の断面図である。
【図１３ｃ】休止状態における図２の準備及びリセット機構のさまざまな部品の断面図である。
【図１３ｄ】図２の準備及びリセット機構の部品の組み立ての各段階の側面図及び側断面図である。
【図１３ｅ】図２の準備及びリセット機構の部品の組み立ての各段階の側面図及び側断面図である。
【図１３ｆ】図２の準備及びリセット機構の部品の組み立ての各段階の側面図及び側断面図である。
【図１３ｇ】図２の準備及びリセット機構の部品の組み立ての各段階の側面図及び側断面図である。
【図１４ａ】準備された状態における図２の準備及びリセット機構のさまざまな部品の断面図である。
【図１４ｂ】準備された状態における図２の準備及びリセット機構のさまざまな部品の断面図である。
【図１４ｃ】準備された状態における図２の準備及びリセット機構のさまざまな部品の断面図である。
【図１４ｄ】準備された状態に移るときの図２の準備及びリセット機構の部品の動きの各段階の側面図及び側断面図である。
【図１４ｅ】準備された状態に移るときの図２の準備及びリセット機構の部品の動きの各段階の側面図及び側断面図である。
【図１４ｆ】準備された状態に移るときの図２の準備及びリセット機構の部品の動きの各段階の側面図及び側断面図である。
【図１４ｇ】準備された状態に移るときの図２の準備及びリセット機構の部品の動きの各段階の側面図及び側断面図である。
【図１４ｈ】準備された状態に移るときの図２の準備及びリセット機構の部品の動きの各段階の側面図及び側断面図である。
【図１４ｉ】準備された状態に移るときの図２の準備及びリセット機構の部品の動きの各段階の側面図及び側断面図である。
【図１５ａ】起動された状態における図２の準備及びリセット機構のさまざまな部品の断面図である。
【図１５ｂ】起動された状態における図２の準備及びリセット機構のさまざまな部品の断面図である。
【図１６ａ】自動開放状態における図２の準備及びリセット機構のさまざまな部品の図である。
【図１６ｂ】自動開放状態における図２の準備及びリセット機構のさまざまな部品の図である。
【図１６ｃ】自動開放状態における図２の準備及びリセット機構のさまざまな部品の図である。
【図１７ａ】缶リセット状態における図２の準備及びリセット機構のさまざまな部品の断面図である。
【図１７ｂ】缶リセット状態における図２の準備及びリセット機構のさまざまな部品の断面図である。
【図１８ａ】その休止状態への復帰における図２の準備及びリセット機構のさまざまな部品の図である。
【図１８ｂ】その休止状態への復帰における図２の準備及びリセット機構のさまざまな部品の図である。
【図１９】本発明の一実施形態に従う第２の準備及びリセット機構を含むｐＭＤＩの斜視図である。
【図２０】図１９の準備及びリセット機構の分解図である。
【図２１ａ】図１９の準備及びリセット機構のアクチュエータリングの斜視図である。
【図２１ｂ】図１９の準備及びリセット機構のアクチュエータリングの斜視図である。
【図２２】図１９の準備及びリセット機構のシリンダの斜視図である。
【図２３ａ】図１９の準備及びリセット機構のピストンの斜視図である。
【図２３ｂ】図１９の準備及びリセット機構のピストンの斜視図である。
【図２４】図１９の準備及びリセット機構のＯリングの斜視図である。
【図２５】図１９の準備及びリセット機構のカラーの斜視図である。
【図２６】図１９の準備及びリセット機構のトランスファの斜視図である。
【図２７】図１９の準備及びリセット機構のばねの斜視図である。
【図２８ａ】図１９の準備及びリセット機構のアクチュエータ体の斜視図である。
【図２８ｂ】図１９の準備及びリセット機構のアクチュエータ体の斜視図である。
【図２９】図１９の準備及びリセット機構のマウスピースカバーの斜視図である。
【図３０ａ】図１９の準備及びリセット機構のばねスリーブの斜視図である。
【図３０ｂ】図１９の準備及びリセット機構のばねスリーブの斜視図である。
【図３１ａ】休止状態における図１９の準備及びリセット機構のさまざまな構成部品の斜視図及び断面図である。
【図３１ｂ】休止状態における図１９の準備及びリセット機構のさまざまな構成部品の斜視図及び断面図である。
【図３１ｃ】休止状態における図１９の準備及びリセット機構のさまざまな構成部品の斜視図及び断面図である。
【図３１ｄ】休止状態における図１９の準備及びリセット機構のさまざまな構成部品の斜視図及び断面図である。
【図３１ｅ】図１９の準備及びリセット機構の部品の組み立ての各段階の側面図及び斜視図である。
【図３１ｆ】図１９の準備及びリセット機構の部品の組み立ての各段階の側面図及び斜視図である。
【図３１ｇ】図１９の準備及びリセット機構の部品の組み立ての各段階の側面図及び斜視図である。
【図３２ａ】準備された状態における図１９の準備及びリセット機構のさまざまな部品の斜視図及び断面図である。
【図３２ｂ】準備された状態における図１９の準備及びリセット機構のさまざまな部品の斜視図及び断面図である。
【図３２ｃ】準備された状態における図１９の準備及びリセット機構のさまざまな部品の斜視図及び断面図である。
【図３２ｄ】準備された状態における図１９の準備及びリセット機構のさまざまな部品の斜視図及び断面図である。
【図３２ｅ】準備された状態に移るときの図１９の準備及びリセット機構の部品の動きの各段階の断面図である。
【図３２ｆ】準備された状態に移るときの図１９の準備及びリセット機構の部品の動きの各段階の断面図である。
【図３２ｇ】準備された状態に移るときの図１９の準備及びリセット機構の部品の動きの各段階の断面図である。
【図３３】起動された状態における図１９の準備及びリセット機構のさまざまな部品の斜視断面図である。
【図３４】自動開放された状態における図１９の準備及びリセット機構のさまざまな部品の斜視断面図である。
【図３５】本発明の一実施形態に従う第３の準備及びリセット機構を含むｐＭＤＩの斜視図である。
【図３６】図３５の準備及びリセット機構の分解図である。
【図３７】図３５の準備及びリセット機構のアクチュエータリングの斜視図である。
【図３８】図３５の準備及びリセット機構のシリンダの斜視図である。
【図３９ａ】図３５の準備及びリセット機構のピストンの斜視図である。
【図３９ｂ】図３５の準備及びリセット機構のピストンの斜視図である。
【図４０】図３５の準備及びリセット機構のＯリングの斜視図である。
【図４１ａ】図３５の準備及びリセット機構のトランスファカラーの斜視図である。
【図４１ｂ】図３５の準備及びリセット機構のトランスファカラーの斜視図である。
【図４２ａ】図３５の準備及びリセット機構のスリーブの斜視図である。
【図４２ｂ】図３５の準備及びリセット機構のスリーブの斜視図である。
【図４３ａ】図３５の準備及びリセット機構のばね当接部の斜視図である。
【図４３ｂ】図３５の準備及びリセット機構のばね当接部の斜視図である。
【図４４】図３５の準備及びリセット機構のばねの斜視図である。
【図４５ａ】図３５の準備及びリセット機構のアクチュエータ体の斜視図である。
【図４５ｂ】図３５の準備及びリセット機構のアクチュエータ体の斜視図である。
【図４６】図３５の準備及びリセット機構のマウスピースカバーの斜視図である。
【図４７ａ】休止状態における図３５の準備及びリセット機構の断面図である。
【図４７ｂ】休止状態における図３５の準備及びリセット機構の構成部品のさまざまな斜視図である。
【図４７ｃ】休止状態における図３５の準備及びリセット機構の構成部品のさまざまな斜視図である。
【図４７ｄ】休止状態における図３５の準備及びリセット機構の構成部品のさまざまな斜視図である。
【図４８ａ】準備された状態における図３５のｐＭＤＩの斜視図である。
【図４８ｂ】準備された状態における図３５の準備及びリセット機構の断面図である。
【図４８ｃ】準備された状態における図３５の準備及びリセット機構の断面図である。
【図４９】起動された状態における図３５の準備及びリセット機構の断面図である。
【図５０】自動開放された状態における図３５の準備及びリセット機構の断面図である。
【図５１】本発明の一実施形態に従う第４の準備及びリセット機構を含むｐＭＤＩの斜視図である。
【図５２】図５１の準備及びリセット機構の分解図である。
【図５３】図５１の準備及びリセット機構のシリンダの斜視図である。
【図５４】図５１の準備及びリセット機構のＯリングの斜視図である。
【図５５ａ】図５１の準備及びリセット機構のピストンの斜視図である。
【図５５ｂ】図５１の準備及びリセット機構のピストンの斜視図である。
【図５６ａ】図５１の準備及びリセット機構のトランスファカラーの斜視図である。
【図５６ｂ】図５１の準備及びリセット機構のトランスファカラーの斜視図である。
【図５６ｃ】図５１の準備及びリセット機構のトランスファカラーの斜視図である。
【図５７】図５１の準備及びリセット機構のばねの斜視図である。
【図５８ａ】図５１の準備及びリセット機構のアクチュエータ体の斜視図である。
【図５８ｂ】図５１の準備及びリセット機構のアクチュエータ体の斜視図である。
【図５９】図５１の準備及びリセット機構のマウスピースカバーの斜視図である。
【図６０ａ】休止状態における図５１の準備及びリセット機構の断面図である。
【図６０ｂ】休止状態における図６０ａの線Ｂを通る断面図である。
【図６０ｃ】休止状態における図５１の準備及びリセット機構のサブアセンブリの斜視図である。
【図６１】準備された状態における図５１の準備及びリセット機構の断面図である。
【図６２ａ】自動開放された状態における図５１の準備及びリセット機構の断面図である。
【図６２ｂ】自動開放された状態における図５１の準備及びリセット機構のサブアセンブリの斜視図である。
【図６３】缶リセット状態における図５１の準備及びリセット機構の断面図である。
【図６４】リセット状態への復帰における図５１の準備及びリセット機構の断面図である。
【発明を実施するための形態】
【００４４】
図１は、絞り弁５４を用いてクリンプ４６において封止された缶５３を含むキャニスタであって薬剤製剤５２が入っているキャニスタ５１の形態の弁付き容器を含む従来の加圧噴霧式定量吸入器（ｐＭＤＩ）５０を表す。キャニスタ５１は、ハウジング（又は「アクチュエータ」）５５内に位置している。ハウジング（又は「アクチュエータ」）５５は、キャニスタ５１を受ける寸法につくられた開いた端４７を有し、開いた端４７からキャニスタ５１の基部４９が突出することができる管状スリーブ部分５６と、吸気オリフィス（又は空気出口）４５を画定する患者ポート５７の形態の（例えば、マウスピースの形態の）部分を含む。吸入器のこのような患者ポートは、本明細書中では簡略化のため「マウスピース」と呼ばれる場合がある。しかしながら、かかるマウスピースは、これに代えて、鼻吸入器のノーズピースであるように構成されることができること、及び、本開示は本明細書中に特に言及されていない場合であっても鼻吸入器に等しく適用できることを、理解されたい。ハウジング５５の開放上端４７は、吸込オリフィス又は空気入口を画定することができ、空気出口４５は、吸入オリフィス又は空気出口を画定することができる。
【００４５】
ステム部分５８は、絞り弁５４から突出しており、ハウジング５５の一体部品として形成されたステムソケット５９内に配置され、摩擦によって保持されている。噴霧オリフィス６０が、ステムソケット５９内に形成され、弁ステム部分５８と吸気オリフィス４５との間に流体連通のための通路を提供する。使用時、患者は、患者ポート（例えば、マウスピース）５７を体腔（例えば、口）の中に入れ、そして、キャニスタ５１の突出している基部４９を下方に同時に押しながら患者ポートを通して吸い込む。押す力は、キャニスタ５１を弁のステム部分５８に相対的に下方に動かす役割を果たす。この相対な動きは、キャニスタ５１内のバルク製剤から定量の医薬製剤を分離して、ステム部分５８内に形成された中空ボア４８を介して定量の医薬製剤を排出する役割を果たす。そして、排出された用量は、ステムソケット５９を流体通路に沿って通り、患者ポート５７を通り患者の体腔（例えば、口腔及び／又は鼻腔）の中に入りそこから患者の気道の中に入る、細かい呼吸に適したスプレー６１の形態で、スプレーオリフィスを介して出て、これによって患者の疾患を治療する。
【００４６】
そのような従来のｐＭＤＩ装置５０のその効能を制限する可能性を有する１つの重要な側面は、特に、吸入の開始のタイミングとキャニスタ５１が下方に押される時との間の患者の良好な調整の必要性である。これは、ほとんどの患者にとって困難であり、薬剤投与の効能を、劣ったものにし、しばしば大きく変化させることになる。
【００４７】
第１実施形態
図２から図１８ｂをみると、本発明の一実施形態に従う第１のｐＭＤＩ１５０の部分が示さている。ｐＭＤＩ１５０は、キャニスタ（明瞭性のために省略されている）を含むハウジング又はアクチュエータ１５５を含む。キャニスタは、医薬製剤が入っている。キャニスタは、図１を参照して説明されたキャニスタ５１と同じ種類であり、絞り弁付き缶を含むことが、理解されるであろう。キャニスタは、ハウジング１５５内に位置する。
【００４８】
ハウジング１５５は、キャニスタを受ける寸法につくられた管状のスリーブ部分１５６を有する下側部分２００、及び吸気オリフィス（又は空気出口）を画定する患者ポート１５７の形態の（例えば、マウスピースの形態の）部分を含む。吸入器のそのような患者ポートは、本明細書中では簡略化のため「マウスピース」と呼ばれる場合がある。しかしながら、かかるマウスピースは、それに代えて、鼻吸入器のノーズピースであるように構成されることができ、本開示は、本明細書中に特に言及されていない場合であっても鼻吸入器に等しく適用できることを、理解されたい。
【００４９】
ハウジング１５５はまた、本発明の一実施形態に従うリセット機構を含む上側部分２０２も含む。
【００５０】
図３を参照すると、上側部分２０２の分解図が提供されている。上側部分は、アクチュエータリング２０４、シリンダ２０６、ピストン２０８、カラー２１０、トランスファ２１２、ばね２１４、アクチュエータ体２１６、Ｏリング２１８及びマウスピースカバー２２０を含む。
【００５１】
図４を参照すると、アクチュエータリング２０４は、成形された樹脂材料からつくられた一体の柱状体であり、第１の、上側部分の、縁２２２と第２の、下側の、縁２２４を有する。第１の縁２２２は、３つの等間隔に配置された、軸方向に延びる切り欠きの形態の整合溝２２６を画定する。各溝は、テーパ状の口を形成する縁２２２に、対向する２つの面取り領域を有する。第２の縁２２４は、一連の軸方向に延びる１５個の歯２２８を画定する。各歯２２８は、概ね三角形の形状であり、端平坦部２３４において合わさる、まっすぐな軸方向の縁２３０とテーパ状の縁２３２（軸方向と周方向の両方に延びる）とを有する。各歯２２８は、縁２２４において歯間間隙２３６によって隔てられている。
【００５２】
図５を参照すると、シリンダ２０６は、成形された樹脂材料からつくられた一体の柱状体である。シリンダは、第１の、上側の、端２３８において閉じられ、及び、第２の、下側の、縁２４１において開いている。上側の閉じられた端２３８の中央には、同軸の空気リーク孔２４０が設けられている。空気リーク孔２４０は、後に説明される技術的効果（制動）を提供する大きさにつくられ、そのようなものとして、正確な大きさが、熟練した技術者によって決定されることができる。図５ａを参照すると、空気リーク孔２４０の詳細断面図が示されている。孔２４０は、シリンダ２０６の内部からシリンダ２０６の外部まで面積が減少するようにテーパ状にされている。この結果、孔２４０を通して空気がシリンダに入るよりも孔２４０を通して流体がシリンダを出るより高い排出の効率となる。したがって、体積流量は、（同じ圧力差について）空気が孔２４０に入るよりも空気が孔２４０を出る方が、より大きい。言い換えれば、ピストンにシリンダを引き入れるときよりもピストンとシリンダを離間させるときに、より大きい抵抗にあう。
【００５３】
図６ａから図６ｃを参照すると、ピストン２０８が示されている。ピストン２０８は、一体の成形された樹脂構成部品である。ピストン２０８は、概ね柱状のピストン胴体２４２とその一端のピストンヘッド２４４を含む。
【００５４】
胴体２４２は、ピストンヘッド２４４が位置する、第１の、上側の、端２４６、及び、開いている、第２の、下側の、端２４８を有する中空のシリンダである。胴体２４２は、その外側の面に、１５の、同一の、等間隔に配置された、軸方向に延びる歯２５０を、画定する。各歯２５０は、第１の端２４６から第２の端２４８に向かって延びる（歯は胴体２４２に沿って途中まで延びているだけであるけれども）。歯２５０それぞれは、周方向及び軸方向の両方に延びるテーパ状の面２５２を画定する自由端を末端とする。自由端は、また、テーパ状の面２５２に隣接する、周方向に延びる小さい平端部２５４を画定する。
【００５５】
ピストンヘッド２４４は、半径方向の縁２５８を有する円形のピストン端キャップ２５６を含む。端キャップ２５６は、胴体２４２の、第１の、上側の、端２４６に位置する。ヘッド２４４は、胴体２４２の第２の端２４８に向かって軸方向に延びるＯリング受けチャンネル部２６０を含む。Ｏリング受けチャンネル部２６０は、キャップ２５６の半径方向縁２５８と環状リング部２６４の半径方向縁２６２によって形成されている。端キャップ２５６の下側（すなわち、すなわち胴体２４２の内部に面する面）には、３つの、等間隔に配置された、半径方向に延びる、補強リブ２６６が設けられている。ピストンヘッド２４４が、胴体２４２から張り出して、歯２５０が延びる環状凹部２６８を提供していることが、特に図６ｂ及び図６ｃからわかるであろう。
【００５６】
図７をみると、Ｏリング２１８が示されている。Ｏリング２１８は、普通の構成部品であり、エラストマー材料からつくられて樹脂材料に対して流体的封止を形成するように設計されている。
【００５７】
図８ａ及び図８ｂをみると、カラー２１０が示されている。カラー２１０は、一体の成形された樹脂構成部品である。カラー２１８は、中心の柱状軸２７０と外側環２７２を含む。
【００５８】
軸２７０は、第１の、上側の、端２７４と第２の、下側の、端２７６を有する。軸は、また、その上に一連の１５の等間隔に配置された内側カラー歯２８０が画定された、半径方向に内方に向いた内側の面２７８を画定する。各内側カラー歯２８０は、軸方向に延び、（ｉ）テーパ状の第１の、上側の、端２８２、及び、（ｉｉ）テーパ状の第２の、下側の端２８４を画定する。端２８２、２８４は、対向してテーパ状にされた細長い台形形状の歯２８０を提供する。歯２８０の側面は、平らであり、軸方向に延びている。歯２８０は、軸２７０の軸方向全長に延びる。
【００５９】
環２７２は、端２７４、２７６の間の途中で軸２７０から外側に延びる。環２７２は、第１の、上側の、面２８６と第２の、下側の、面２８８を含む。環２７２は、外側リム２９０を画定する。外側リム２９０には、１５の外側カラー歯２９２が位置する。各カラー歯２９２は、軸方向の意味において環２７２の第１の面２８６から延びる。各外側カラー歯２９２は、テーパ状にされて第１の面２８６から延びるにつれてより狭くなる。各歯２９２は、端平坦部２９８において合わさる、テーパ状の又は傾斜した面２９４と平らな、軸方向の面２９６を画定する。
【００６０】
図９を参照すると、トランスファ２１２が詳細に示されている。トランスファ２１２は、環状体３００とそこから延びる３つの等間隔に配置された軸方向に延びる脚３０２を含む、一体の、成形された、樹脂構成部品である。環状体３００は、内側リム３０８と外側リム３１０と共に、第１の、上側の、面３０４と第２の、下側の、面３０６を含む。上側の面３０４は、内側リム３０８に近接する環状支え面３１６を画定する。環状支え面３１６は、面３０４から僅かに高くなっている。各脚３０２は、第２の面３０６から延び、断面において円形のセグメントであり、したがって部分的なシリンダを形成している。各脚３０２は、自由端３１２と、環状体３００から自由端３１２へ脚の長さに沿って軸方向に延びるリブ３１４を有する。各リブ３１４は、各脚３０２の内側の面の中心線に沿って設けられている。そのように、リブ３１４は、互いに向かって内方に向いている。
【００６１】
図１０を参照すると、ばね２１４が詳細に示されている。ばね２１４は、一体的な、成形された、樹脂構成部品である。ばね２１４は、柱状ばね胴体３１８とそこから突出するばね軸３２０を含む。ばね２１４は、一体のエネルギー蓄積構成として動作する。
【００６２】
ばね胴体３１８は、概ね管状で柱状であり、キャニスタ５１に対してスリーブとして作動する。胴体３１８は、第１の、上側の、端３２２と第２の、下側の、端３２４を有する。ばね胴体３１８は、第１の上側の、領域３２６と第２の、下側の領域３２８を有する。
【００６３】
第１の領域３２６は、軸方向に伸張性があり弾性がある。これは、胴体３１８の壁を通して一連の６列のスロット様の開口３３０を形成することによって達成される。各列は、胴体３１８の周囲のまわりに等間隔に配置された３つの開口３３０を含む。各列は、隣接する列又は複数の列から回転方向にオフセットされている。開口３３０は、第１の領域３２６が伸縮自在に伸びることができ、図１０に示されている休止状態へ戻るように、形成されている。第２の領域３２８は、第１、第２と第３の一対の、それぞれ、外方に延び、直径方向に対向するペグ３３２、３３４、３３６を含む。ペグ３３２、３３４、３３６は、柱状である。第１のペグは、第１の領域３２６に隣接して位置し、第２と第３のペグは、第２の端３２４に近接して位置する。第２と第３のペグ３３４、３３６は、第１と第２のペグ３３２、３３４よりも互いにより近い。
【００６４】
胴体３１８の第１の端３２２は、３つの脚開口３４０と一連の１５のばね歯３４２を画定する環状の面３３８を末端とする。各脚開口３４０は、円形のセグメントとして形成されている。リブ受け構造３４５は、各脚開口の中心から径方向内向きに延びている。このように、各脚開口３４０は、概ね「Ｔ」形状に形成されている。ばね歯３４２は、脚開口３４０の半径方向内向きに位置する。各ばね歯３４２は、概ねテーパ状であり、小さい平坦部３４８において平らな軸方向の面３４６に合わさるテーパ状の面３４４を含む。
【００６５】
ばね軸３２０は、環状の面３３８の中心から延び、中空のシリンダのようにつくられている。ばね軸３２０は、第１の、上側の端３５０と、そこでばね軸３２０が環状の面３３８に接合する、第２の、下側の端３５２を有する。ばね軸３２０は、第１の端３５０から軸方向に延びる、３つの等間隔に配置されたばねアライメント溝３５４を有する。
【００６６】
図１１ａ及び図１１ｂを参照すると、アクチュエータ体２１６が詳細に示されている。図１１ｂは、図１１ａの面Ｂを通る断面図である。アクチュエータ体２１６は、第１の、上側の、部分３５６と第２の、下側の、部分３５８を含む。部分３５６、３５８は、下側の端で開いている空洞を囲む概ね細長いハウジングを画定する。
【００６７】
第１の部分３５６は、概ね柱状であり、末端壁３６０によって閉じられた第１の、上側の端を有する。３つの等間隔に配置されたアクチュエータリングリブ３６１が設けられて、側壁に沿って末端壁３６０から軸方向に延びている。
【００６８】
第２の部分３５８は、断面において概ね方形であり、１対のショルダ３６４を介して第１の部分３５６に接合している。第２の部分３５８は、開いた端３６６を有する。一対の直径方向に対向する円形状アパーチャ３６８が、ショルダ３６４に近接する第２の部分の対向する壁に設けられている。各アパーチャ３６８は、その周囲の一部分にわたる半径方向に内向きに突出する保持フランジ３７０を画定する。各アパーチャは、マウスピースカバー軸Ｍ上にある。第２の部分３５８の対応する各内部側壁に沿って各アパーチャ３６８から延びる、ばねペグ溝３７２が、設けられている。ばねペグ溝３７２は、保持フランジ３７０の実質的に反対側の位置から始まり、第２の部分３５８内を軸方向に開いた端３６６へ延びる。
【００６９】
図１２ａ及び図１２ｂを参照すると、マウスピースカバー２２０がより詳細に示されている。マウスピースカバー２２０は、一体の、成形された樹脂構成部品である。図１２ｂは、図１２ａの面Ｂを通る断面図である。マウスピースカバー２２０は、キャップ３７４と２つの互いの鏡像であるアーム３７６を含む。
【００７０】
キャップ３７４は、吸入器患者ポート１５７のマウスピースを封止するのに適した内部凹状構造である。キャップ３７４は、閉じた端３７８と開いた端３８０を有する。キャップ３７４は、そこからアーム３７６が解放端３８０に近接して延びる、一対の対向する側壁３８２を画定する。
【００７１】
各アーム３７６は、自由端３８４へ延びる、細長い、概ね平坦な構造である。自由端においてかつ各アーム３７６の内向きに対向する面上に、カム３８６が設けられている。カム３８６は、アンダーカット領域３８８（用語「アンダーカット」は、幾何学的な意味で用いられており、切断動作が起こったことを暗示しないことが理解されるであろう）を介してアーム３７６へ接続されている。
【００７２】
カム３８６は、図１２ｂを参照すると、外側の半径ＲｏとＲｏの内向きに内側の半径Ｒｉへ延びるペグ受切欠き３９０を有する。切欠き３９０は、ＲｏとＲｉとの間を緩やかに曲がる、第１の、奥行きのない面３９２及びＲｏとＲｉとの間を（ほぼ半径方向に）より急勾配で延びる第２の面３９４を有する。
【００７３】
アセンブリ
上記の全ての構成部品は、主軸Ｘ上に整列される。図１３ａから図１３ｃを（図３の分解図も合わせて）参照すると、上側部分２０２は、組み立てられた状態で、休止状態で（保管のために用いられ、一般的に動作中でないとき）、示されている。
【００７４】
アクチュエータリング２０４は、アクチュエータリングリブ３６１がアライメント溝２２６に係合するように、第１の部分３５６の中にアクチュエータリング２０４を挿入することによって、アクチュエータ体２１６の内部に固定される。アライメント溝２２６のテーパ状の口は、この組み合わせるプロセスを助ける。一旦挿入されると、アクチュエータリング２０４は、アクチュエータ体２１６に相対的に動くことができないように保持される。例えば、アクチュエータリングは、そこに結合されてもよい。
【００７５】
Ｏリング２１８は、ピストン２０８上の溝２６０の中に組み付けられ、ピストン２０８は、それとともにシリンダ２０６の開いた端の中に挿入され封止を形成する。Ｏリング２１８は、結果的にピストンの軸方向の動きが空気リーク孔２４０を通した空気流となるように、シリンダ２０６の内部側壁に対して封止する。したがって、ピストン２０８とシリンダ２０６の相対的な動きは、制動される。更に、孔２４０はテーパ状にされているので、ピストン２０８のシリンダ２０６の中への動きは、ピストン２０８のシリンダ２０６を出る動きよりも、抵抗がより小さい。換言すれば、ピストン２０８とシリンダ２０６の離間は、ピストン２０８のシリンダ２０６の中への動きよりも、制動される。
【００７６】
ピストン−シリンダアセンブリは、アクチュエータリング２０４内に位置し、それに対し軸方向に相対的に動くことができる。
【００７７】
次に、カラー２１０は、外側カラー歯２９２がアクチュエータリング歯２２８に面しそれらの間に差し入れられるように、アクチュエータ体２１６の中に配置される。カラーは、ピストン胴体２４２を取り囲んでいる。内側カラー歯２８０の上側の面２８２は、ピストン歯２５０の下方を向いた面２５２に面する。
【００７８】
次に、トランスファ２１２は、アクチュエータ体２１６の中に挿入されてカラー２１０の下面に係合する。トランスファ支え面３１６は、カラー環２７２の下側の面２８８に載り、それに対して相対的に回転することができる。
【００７９】
最後に、ばね２１４は、ばね軸３２０がピストン２０８の中に通るようにアクチュエータ体２１６の中に挿入される。３つのアライメント溝３５４は、リブ２６６によって係合され、ばね２１４とピストン２０８は、結合されて相対的な動きを防ぐ（ばねの変形に起因する動きを免れさせる）。トランスファ２１２の脚は、ばね胴体３１８内の脚開口３４０を通って、ばね２１４とトランスファ２１２との間の相対的な回転の動きではなく、相対的な軸方向の動きを可能にする。ばね歯３４２は、カラー２１０の歯２８０の下方に向いた面２８４に面する。
【００８０】
ばね２１４が挿入されると、ペグ３３２、３３４、３３６が、ばねペグ溝３７２に係合する（図１３ｂ）。第１のペグ３３２は、以下の方法でアクチュエータ体２１６にスナップで嵌合されるマウスピースカバー２２０の切欠き３９０によって係合する。
【００８１】
図１３ｄから図１３ｇを参照すると、アクチュエータ体２１６上のマウスピースカバー２２０の取り付けが、詳細に示されている。この取り付けを行うために、患者ポート１５７を含む下側の部分２００は、アクチュエータ体２１６上へ未だ組み付けられていない。図１３ｄ及び図１３ｅには、下側の部分２００の意図する位置が、破線の輪郭で示されている。マウスピースカバー２２０は、吸入器の主軸Ｘに平行である軸Ｙを規定する休止位置を有する。休止位置で、マウスピースカバー２２０は、吸入器マウスピースを覆う（図２参照）。
【００８２】
図１３ｄ及び図１３ｅでは、マウスピースカバー２２０のアーム３７６は、カム３８６がアクチュエータ体２１６の開口３６８と整列されることができるように、弾性的に離されている。カム３８６は、マウスピースカバー２２０のアーム３７６がアクチュエータ体２１６の第２の部分３５８の平らな壁に摺動する接触となるように、開口３６８に入る。カム３８６の開口３６８との全係合のために、切欠き３９０は、保持フランジ３７０と整列される必要があることに注意されたい。これは、マウスピースカバー２２０の１つの特定の回転の組付け角度ＡＡにおいてのみ起こる。より詳細には、マウスピースカバー軸Ｍの周りに約−１１０度で起こる。
【００８３】
マウスピースカバー２２０は、休止位置（その位置においてキャップ３７４がｐＭＤＩ１５０のマウスピースを覆う）に回転する。これは、図１３ｆ及び図１３ｇに示されている。この位置で、保持フランジ３７０は、マウスピースカバー２２０上のカム３８６のアンダーカット領域３８８に係合してて、マウスピースを所定の位置に保持する（ただし軸Ｍの回りの回転は可能とする）。図１３ｂ及び図１３ｇに示されているように、ばね２１４の第１のペグ３３２は、マウスピースカバー２２０のカム３８６内の切欠き３９０によって捕捉される。患者ポート１５７を含む下側部分２００のアクチュエータ体２１６上への組付けとともに、マウスピースカバーは、図１３ｄ及び図１３ｅの組付け位置に向かって回転することはもはやできないことに注意されたい。これは、吸入器が一旦完全に組み立てられるとマウスピースカバーを取り外すことがたいへん困難であることを確実にする。
【００８４】
動作
ｐＭＤＩ  １５０は、次のように用いられる。ｐＭＤＩ  １５０の動作は、以下に説明されるように多くの動作の状態又は段階を通して説明されるのが最適である。
【００８５】
１．休止状態
休止状態が、図１３ａ、図１３ｃに示されている。この状態で、缶５３を有するキャニスタ５１と弁ステム５８を有する絞り弁５４は、ｐＭＤＩ内に設けられている。キャニスタ５１は、明瞭性のため隠れ線で示されている。ステム５８は、ｐＭＤＩ１５０内に静止しているステム当接部５９に当接する。休止状態において、キャニスタ５１の下方への移動は、トリガアセンブリ（ここには記載されないが、当業界において一般に知られている）の部分であるトリガ当接部７０によって禁止される。
【００８６】
この位置で、キャニスタ５１は、ばね２１４内に部分的に位置し、トランスファ２１２の脚３０２の自由端３１２は、キャニスタ５１の底に当接している（それは逆さにされているため）。トランスファ２１２は、その外側カラー歯２９２がアクチュエータリング２０４の下方に突出している歯２２８と互いにかみ合わせられているカラー２１０を支持している。対応する歯２２８、２９２それぞれの直線縁２３０、２９６は、軸Ｘのまわりの第１の回転方向＋Ｒにおけるカラー２１０の回転が阻止されるように、当接している。
【００８７】
ばね２１４はまた、休止位置にあり、エネルギーを蓄えていない。ばね２１４は、その下側の端で固定され、（その第１のペグ３３２がマウスピースカバー２２０の切り欠き３９０に保持されて）かつピストン２０８に取り付けられているので、ばね２１４はまた、シリンダ２０６も支持する。ピストン２０８とシリンダ２０６は、図１３ｃに示されているように、シリンダの基部に当接するピストンに十分に係合する。ピストン歯２５０は、軸Ｘに沿って内側カラー歯２８０から間隔をおいて配置されている。
【００８８】
ばね２１４の環状の面３３８は、内側カラー歯２８０がばね歯３４２と互いかみ合わせられるように、内側カラー歯２８０の下側の端によって当接されている。
【００８９】
２．準備された状態
この状態で、マウスピースカバー２２０は、（図１３ｂを参照して）第１のペグ３３２がばねペグ溝３７２の中に引き込まれてしまうように、マウスピースカバー軸Ｍのまわりに回転している。この動作は、ばね３２６の第１の領域に張力を加える傾向があり、それを下方に引く。
【００９０】
休止状態から準備された状態へ動くマウスピースカバーの動きにおける様々なステップが、図１４ｄから図１４ｉに示されている。
【００９１】
図１４ｄ及び図１４ｅは、軸Ｙに対して９０度の角度Ａにおけるマウスピースカバー２２０を示す。図１４ｅに見えるように、カム３８６の回転は、ペグ３３２をほとんど完全に溝３７２の中に付勢している。ペグ３３２は、Ｄ１だけ、休止位置（隠れ線で示されている）から変位させられる。この位置で、吸入器は、使用できない。もしユーザがマウスピースにユーザの口を当てようとするとマウスピースカバー２２０がユーザの顔にぶつかってしまうことになるからである。
【００９２】
図１４ｆ及び図１４ｇは、ペグ３３２がほとんど完全に溝３７２内にありＤ２の合計距離だけ動いた程度にカム３８６が回転したときの約１３５度の角度Ｂにおけるマウスピースカバーの位置を示す。このとき、切欠き３９０は、ペグ３３２を通過しているので、マウスピースカバー２２０の更なる回転は、ペグ３３２の直線的な位置に影響を与えない（Ｄ２に留まる）。この位置でも、マウスピースカバーは使用者の顔にぶつかる位置に依然としてあるので、吸入器を使用することはできない。
【００９３】
図１４ｈ及び図１４ｉは、マウスピースカバーの最終的な、準備された位置を１８０度の角度Ｃで示している。角度Ｂから角度Ｃへの動きは、ペグ３３２のどのような更なる動きも引き起こさなかった（したがってばね２１４の更なる圧縮もない）が、マウスピースカバー２２０を退かさせる役割を果たした。この空動き（lost motion）は、ユーザが位置Ｂと位置Ｃとの間で吸入器を使用しようとするなら（これが可能であることもある）、ばね２１４が十分に付勢されているので吸入器は正常に動作するであろうことを、確実にする。
【００９４】
図１４ａに戻ると、最初にばね２１４にこの下向きの力が作用してピストン２０８を下方に引く（ピストン２０８とばね２１４は取り付けられている）。シリンダ２０６の下方への動きはこの段階では抵抗を受けないので、空気孔を通した空気流の抵抗のためばかりでなく、重力及びＯリング２１８の摩擦のために、それもまた図１４ａに示されているように下方に動く。トランスファ２１２は、キャニスタ５１に当接しているので、このときには静止したままである。ばね２１４の頂部は、軸Ｘに沿って下方に動くにつれて、ばね２１４とトランスファ２１２は、トランスファ脚３０２が脚開口３４０内で摺動できるという事実のために、離れるように動くことを開始する。
【００９５】
この初期動作は、図１４ｃに示されているように、ピストン歯２５０のテーパ状の面２５２が、内側カラー歯２８０の第１のテーパ状の端２８２に当接するまで、起こる。このとき、下向きの力が、トランスファ２１２とキャニスタ５１（トリガ当接部７０によって所定の位置に保持されている）の当接のために動くことがでないカラー２１０に働く。したがって、ばね軸３２０は、カラー２１０、トランスファ２１２及びキャニスタ５１上へのピストン２０８を通して確立された負荷経路のために、もはや動くことはできない。マウスピースカバー２２０が回転し続けると、ばね３２６の第１の領域は、伸びて、位置エネルギーを蓄える。一旦マウスピースカバー２２０が図１４ａに示された位置になると、ばね２１４の第１のペグ３３２は、ペグチャネル３７２の中へと下へ動き、ばねは、「プライムされる」。
【００９６】
ピストン２０８（より詳細には、ピストン歯２５０）とカラー２１０（より詳細には、内側カラー歯２８０）との当接は、ばね２１４とキャニスタ５１との間の負荷経路におけるクラッチを形成することが、わかるであろう。
【００９７】
３．起動された状態
ユーザが薬剤を出したいとき、キャニスタ５１の下方への動きがもはや禁止されないようにトリガ当接部７０が動かされるトリガ機構（ここでは説明されない）が、起動される。キャニスタ５１の解放は、トランスファ２１２、カラー２１０及びピストン２０８が下方に動くように開放し、ピストン２０８上のばね２１４の張力によって、引かれる。ばね２１４内に蓄えられたエネルギーが解放されると、それは、弁ステム５８を弁ステム当接部５９上に押し付ける役割を果たす。これはまた、弁５４内の弁ばねのバイアスに対して作用してキャニスタ５１を開き、薬剤の用量を放出させる。この際、ばね２１４からの力、Ｆｓは、弁５４からの力、Ｆｖを超えるので、用量放出は確実になる。
【００９８】
図１５ｂを参照すると、ピストン２０８からカラー２１０上への力は、内側カラー歯２８０の第１のテーパ状の端２８２に当接しているピストン歯２５０のテーパ状の面２５２を介して提供されることがわかるであろう。換言すれば、ばねの力Ｆｓの負荷経路は、ピストン２０８（ばねによって下に引かれている）とカラー２１０（トランスファ２１２を押している）によって形成されたクラッチを通る。
【００９９】
軸方向の力だけでなく、ピストン歯２５０と内側カラー歯２８０のテーパのために、軸Ｘのまわりの方向＋Ｒにおけるカラー２１０上の回転の力が、生成される。この力は、外側カラー歯２９２の軸方向の面２９６とアクチュエータリング２０４の下方に突出する歯２２８の軸方向の面２３０との当接によって作用する。図１５ｂは、歯２９２、２２８が、アクチュエータリング２０４に相対的なカラー２１０の相対的な下方への動きのために、互いに通過したばかりであることを示していることが、理解されるであろう。それらがそれを終了してしまうまで、カラーの回転が阻止される。
【０１００】
４．自動開放状態
図１５ｂに示されているように、外側カラー歯２９２は、アクチュエータリング歯２２８をやがて通過し、カラー２１０が軸Ｘのまわりに方向＋Ｒに回転することを可能する（図１６ｂ）。この回転は、内側カラー歯２８０の第１のテーパ状の端２８２に当接するピストン歯２５０のテーパ状の面２５２の当接によって生成されたトルクのために、起こる（図１６ｃ）。
【０１０１】
ピストン（これは回転できない、なぜならば、ピストンは、それ自体回転できない、ばねに結合されているからである）に相対的なカラー２１０の回転の所定の角度において、カラー２１０とピストンは、直線的な意味において引き離される（又は解放される）ことになる。換言すれば、カラー２１０が回転すると、カラー２１０とピストン２０８によって形成されたクラッチが、解放される。これは、内側カラー歯２８０が、ピストン２０８とカラー２１０との間の相対的直線的な動きを可能にするピストン歯２５０の間の間隙を通して結局動くことができるからである。
【０１０２】
５．缶リセット状態
クラッチの開放は、今度は、システムを、反対の力をうける２つのサブアセンブリへ離間させる。図１７ａ及び１７ｂについて説明する。
【０１０３】
一方で、キャニスタ弁におけるばねの復帰力Ｆｖは、次にはカラー２１０をアクチュエータリング２０４に向けて持ち上げるトランスファ（キャニスタ５１を介して）に上向きの力を加える。カラー２１０は、シリンダ２０６を支持し、シリンダ２０６もまた更にアクチュエータリングの中へ上方に持ち上げられる。カラー２１０がアクチュエータリング２０４に近づくと、外側カラー歯２９２のテーパ状の面２９４は、アクチュエータリング歯２２８のテーパ状の面２３２に係合して、カラーを軸Ｘのまわりに方向＋Ｒに更に回転させてカラー２１０とアクチュエータリング２０４を十分に係合させる。
【０１０４】
他方で、ばね２１４に残っている張力Ｆｓは、ピストン２０８を下方に引くように作用する。このため、キャニスタ５１がその休止（非作動）位置に戻るとき、その動きはピストン２０８とシリンダ２０６の離間によって制御される。上述したように、ピストン２０８とシリンダ２０６の相対的な動きは、空気リーク孔２４０の中への空気の進入によって、制御される。したがって、キャニスタ５１の復帰（すなわち、キャニスタの復帰のタイミング）が制御され、上記問題を回避する。
【０１０５】
６．休止状態への復帰
ユーザは、マウスピースカバー２２０を回転させて元の位置に戻す。これは、第１のペグ３３２を上方に引く効果（図１３ｂ参照）を有し、これによって、ばね３２６の第１の領域がその開始（休止）位置に向かって上方に復帰することを可能にする。この動きは、ピストン２０８をシリンダ２０６の中に再係合させ、ピストンとシリンダが離間されていたときよりもピストンはより低い抵抗（すなわち、より少なく制動された）を受ける。
【０１０６】
図１８ａ及び図１８ｂを参照すると、ばね２１４の頂部がカラー２１０に向かって動くにつれて、各ばね歯３４２のテーパ状の面３４４は、各内側カラー歯２８０のテーパ状の第２の端２８４に係合して、カラー２１０を更に回転させる。回転は、内側カラー歯２８０がピストン歯２５０の直下に位置し、次の動作に対し準備完了するように起こる。換言すれば、クラッチの反対側が、再整列される。この回転は、また、アクチュエータリング歯２２８の直線状の縁２３０を外側カラー歯２９２の直線状の縁２９６に当接させる。したがって、軸Ｘの周りの第１の回転方向＋Ｒにおけるカラー２１０の更なる回転（クラッチを解放する）が、再び阻止される。
【０１０７】
第２実施形態
図１９から図２９をみると、本発明の一実施形態に従う第２のｐＭＤＩ１１５０が示されている。ｐＭＤＩ１１５０は、キャニスタ５１を含むハウジング又はアクチュエータ１１５５を含む（図２０）。キャニスタ５１は、医薬製剤が入っている。キャニスタは、図１を参照して説明されたキャニスタ５１と同じ種類であり、絞り弁を有する缶を含むことが、理解されるであろう。キャニスタは、ハウジング１１５５内に位置する。ｐＭＤＩ１１５０は、詳細な説明において上述したように、患者がマウスピースを通して吸入するときに、弁のステム部分に相対的なキャニスタの下方への動きを可能にするステムソケットとトリガアセンブリを有する。ステムソケットとトリガアセンブリは、図示の明瞭性のために図２０から省略されている。
【０１０８】
ｐＭＤＩ１１５０は、吸気オリフィス（又は空気出口）を画定する患者ポート１１５７の形態の（例えば、マウスピースの形態の）部分を含む。吸入器のこのような患者ポートは、本明細書中では簡略化のために、「マウスピース」と呼ばれる場合がある。しかしながら、こうしたマウスピースは、これにかえて、鼻吸入器のノーズピースであるように構成されることができ、本開示は本明細書中に特に言及されていない場合であっても鼻吸入器に等しく適用できることを、理解されたい。
【０１０９】
ハウジング１１５５はまた、本発明の一実施形態に従うリセット機構を含む上側部分１２０２を含む。
【０１１０】
図２０を参照すると、リセット機構の分解図が提供されている。リセット機構は、アクチュエータリング１２０４、シリンダ１２０６、ピストン１２０８、カラー１２１０、トランスファ１２１２、ばね１２１４、ばねスリーブ１４００、第１のアクチュエータ本体部分１２１６、第２のアクチュエータ本体部分１２１７、Ｏリング１２１８及びマウスピースカバー１２２０を含む。
【０１１１】
図２１ａ及び図２１ｂを参照すると、アクチュエータリング１２０４は、成形された樹脂材料からつくられた一体のシリンダ体であり、第１の、上側の、縁１２２２と第２の、下側の、縁１２２４を有する。第１の縁１２２２は、一連の１５の軸方向に延びる歯１２２８を画定する。各歯１２２８は、形状において概ね三角形であり、端平坦部１２３４で合わさる、直線状の軸方向の縁１２３０と、テーパ状の面１２３２（軸方向と周方向の両方に延びる）を有する。各歯１２２８は、端１２２２において歯間間隙１２３６によって隔てられている。第２の縁１２２４は、外方に延びるリム１２２６を画定する。第１の周回位置において、軸方向に延びる保持部材１２２７が設けられている。アクチュエータリング１２０４の保持部材１２２７の内側の面上に、軸方向に延びるスロット１２２５が設けられている。
【０１１２】
図２２を参照すると、シリンダ１２０６は、成形された樹脂材料からつくられた一体の柱状体である。シリンダは、第１の、上側の、端１２３８で閉じられており、第２の、下側の、縁１２４１で開いている。上側の閉じられた端１２３８の中央には、同軸の空気リーク孔１２４０が設けられている。空気リーク孔１２４０は、後に説明される技術的効果（制動）を提供する大きさにつくられ、そのようなものとして、正確な大きさが、熟練した技術者によって決定されることができる。空気リーク孔２４０と同様に、空気リーク孔１２４０は、シリンダ１２０６の内部からシリンダ１２０６の外部まで面積を減少させるようにテーパ状にされている。この結果、孔１２４０を通して空気がシリンダに入るよりも孔１２４０を通して流体がシリンダを出る排出のより高い効率となる。
【０１１３】
図２３ａ及び図２３ｂを参照すると、ピストン１２０８が示されている。ピストン１２０８は、一体の成形された樹脂構成部品である。ピストン１２０８は、概ね柱状のピストン胴体１２４２とその一端のピストンヘッド１２４４を含む。
【０１１４】
胴体１２４２は、ピストンヘッド１２４４が位置する、第１の、上側の、端１２４６、及び、開いている、第２の、下側の、端１２４８を有する中空のシリンダである。胴体１２４２は、その外側の面上に、５つの、同一の、等間隔に配置された、軸方向に延びる歯１２５０を、画定する。各歯１２５０は、第１の端１２４６から第２の端１２４８に向かって延びる（歯は胴体１２４２に沿って途中まで延びているだけであるけれども）。歯１２５０それぞれは、周方向及び軸方向の両方に延びるテーパ状の面１２５２を画定する自由端を末端とする。
【０１１５】
ピストンヘッド１２４４は、半径方向の縁１２５８を有する円形のピストン端キャップ１２５６を含む。端キャップ１２５６は、胴体１２４２の第１の、上側の、端１２４６に位置する。ヘッド１２４４は、胴体１２４２の第２の端１２４８に向かって軸方向に延びるＯリング受けチャンネル部１２６０を含む。Ｏリング受けチャンネル部１２６０は、キャップ１２５６の半径方向の縁１２５８と環状リング部１２６４の半径方向の縁１２６２によって形成される。端キャップ１２５６の下側（すなわち、すなわち胴体１２４２の内部に対向する面）には、中央のボス１２６７で合わさる、３つの、等間隔に配置された、半径方向に延びるリブ１２６６が設けられる。ピストンヘッド１２４４が、胴体１２４２から張り出して、歯１２５０がその中に延びる環状凹部１２６８を提供していることが、特に図２３ｂからわかるであろう。
【０１１６】
図２４をみると、Ｏリング１２１８が示されている。Ｏリング１２１８は、普通の構成部品であり、樹脂材料に対して流体的封止を形成するように設計されたエラストマー材料からつくられる。
【０１１７】
図２５を参照すると、カラー１２１０が示されている。カラー１２１０は、一体の成形された樹脂構成部品である。カラー１２１０は、中心の柱状軸１２７０と外側環１２７２を含む。
【０１１８】
軸１２７０は、第１の、上側の、端１２７４と第２の、下側の、端１２７６を有する。軸は、また、一連の１５の等間隔に配置された内側カラー歯１２８０がその上に画定された、半径方向に内方に向いた内側の面１２７８を画定する。各内側カラー歯１２８０は、軸方向に延び、（ｉ）テーパ状の第１の、上側の、端１２８２及び（ｉｉ）テーパ状の第２の、下側の、端１２８４を画定する。端１２８２、１２８４は、対向してテーパ状にされ、歯１２８０に細長い台形形状を提供する。歯１２８０の側面は、平らであり、軸方向に延びている。歯１２８０は、軸１２７０の軸方向全長を延ばす。
【０１１９】
環１２７２は、端１２７４、１２７６の間の中ほどで軸１２７０から外方に延びる。環１２７２は、第１の、上側の、面１２８６と第２の、下側の、面１２８８を含む。環１２７２は、外側のリム１２９０を画定する。外側リム１２９０には、１５個の外側カラー歯１２９２が位置決している。各カラー歯１２９２は、半径方向外方にかつ第２の面１２８８から離れるように軸方向下方に延びている。各外側カラー歯１２９２は、テーパ状にされて第２の面１２８８から延びるにつれて狭くなっていく。各歯１２９２は、端平坦部１２９８において合わさる、テーパ状の又は傾斜した面１２９４と平らな、軸方向の面１２９６を画定する。
【０１２０】
図２６を参照すると、トランスファ１２１２が詳細に示されている。トランスファ１２１２は、環状体１３００とそこから延びる３つの等間隔に配置された軸方向に延びる脚１３０２を含む、一体の、成形された、樹脂構成部品である。環状体１３００は、内側リム１３０８と外側リム１３１０と共に、第１の、上側の、面１３０４と第２の、下側の、面１３０６を含む。上側の面１３０４は、内側リム１３０８に近接する環状支え面１３１６を画定する。環状支え面１３１６は、面１３０４から僅かに高くなっている。各脚１３０２は、第２の面１３０６から延び、断面において円形のセグメントであり、したがって部分的シリンダを形成している。各脚１３０２は、自由端１３１２と、環状体１３００から自由端１３１２へ脚の長さに沿って軸方向に延びるリブ１３１４を有する。各リブ１３１４は、各脚１３０２の内側の面の中心線に沿って設けられている。そのように、リブ１３１４は、互いに向かって内方に向いている。
【０１２１】
図２７を参照すると、ばね１２１４が詳細に示されている。ばね１２１４は、一体的な、成形された、樹脂構成部品である。ばね１２１４は、柱状ばね胴体１３１８とそれから突出するばね軸１３２０を含む。
【０１２２】
ばね胴体１３１８は、概ね柱状であり、第１の、上側の、端１３２２と第２の、下側の、端１３２４を有する。ばね胴体１３１８は、第１の上側の、領域１３２６と第２の、下側の領域１３２８を有する。
【０１２３】
第１の領域１３２６は、軸方向に伸張性があり弾性がある。これは、胴体１３１８の壁を通して一連の６列のスロット様の開口１３３０を形成することによって達成される。各列は、胴体１３１８の周囲の周りに等間隔に配置された３つの開口１３３０を含む。各列は、隣接する列又は複数の列から回転方向にオフセットされている。開口１３３０は、第１の領域１３２６が伸縮自在に伸びることができ、図２７に示されている休止状態へ戻るように、形成されている。第１の領域１３２６は、第１の、上側の端１３２２に近接する、そこから軸方向に外向きに延びるアライメントペグ１３３２を、更に画定する。
【０１２４】
第２の領域１３２８は、第２の端１３２４に近接する、２つの円形のセグメントの軸方向に外向きに突出するリブ１３３４、１３３５を含む。リブ１３３４、１３３５と第１の領域１３２６との間に、胴体１３２５の中への圧縮とともにタブ１３３６が図２７に示された位置に外方に元に戻るように、伸縮自在に変形可能なアーム１３３７によって弾性的にバイアスされる、軸方向外向きに突出するタブ１３３６が設けられている。
【０１２５】
胴体１３１８の第１の端１３２２は、３つの脚開口１３４０と一連の５つのばね歯１３４２を画定する環状の面１３３８を末端とする。各脚開口１３４０は、円形のセグメントとして形成されている。リブ受け構造１３４５は、各脚開口の中心から半径方向内向きに延びている。このように、各脚開口１３４０は、概ね「Ｔ」形状に形成されている。ばね歯１３４２は、脚開口１３４０の半径方向に内方に位置する。各ばね歯１３４２は、概ねテーパ状であり、平らな軸方向の面１３４６に合わさるテーパ状の面１３４４を含む。
【０１２６】
ばね軸１３２０は、環状の面１３３８の中心から延び、中空のシリンダのようにつくられている。ばね軸１３２０は、第１の、上側の端１３５０、及びそこでばね軸１３２０が環状の面１３３８に接合する第２の、下側の端１３５２を有する。ばね軸１３２０は、第１の端１３５０から軸方向に延びる、３つの等間隔に配置されたばねアライメント溝１３５４を有する。
【０１２７】
図２８ａ及び図２８ｂを参照すると、アクチュエータ本体部分１２１６と１２１７が分解された形態で詳細に示されている。
【０１２８】
第１のアクチュエータ本体部分１２１６は、概ね細長く凹状である、一体の、成形された樹脂構成部品であり、湾曲した壁１４０２、第１の端１４０４及び第１の端の反対の第２の端１４０６を有する。凹状壁１４０２の内側の側面上に、ショルダの形態で下方に向いたカラー当接部１４０８、及び周方向にかつ半径方向内向きに延びるリブの形態の、中央の間隙１４１２を有する、アクチュエータリング当接部１４１０が、設けられている。壁１４０２はまた、何れもその側面から延びる２つの平行な側面パネル１４１４も含む。各側面パネル１４１４は、平らで、その中に開口１４１６を画定する。各開口１４１６は、概ね円形であり、それから接線方向に延びる２つの対向する翼１４１８、１４２０を有する。壁１４０２はまた、４つの長手方向に延びる補剛リブ１４２２も画定する。両開口１４１６は、マウスピースカバー軸Ｍ上にある。
【０１２９】
第２のアクチュエータ本体部分１２１７は、概ね細長く凹状である、一体の、成形された樹脂構成部品であり、湾曲した壁１４２４、第１の端壁１４２６及び第１の端の端壁の反対の第２の端壁１４２８を有する。凹状壁１４２４の内側の側面上に、ショルダの形態で下方を向いたカラー当接部１４３０、及び周方向にかつ半径方向内向きに延びるリブの形態のアクチュエータリング当接部１４３２が設けられている。壁１４２４はまた、４つの長手方向に延びる補剛リブ１４３４も画定する。
【０１３０】
図２９を参照すると、マウスピースカバー１２２０がより詳細に示されている。マウスピースカバー１２２０は、一体の、成形された樹脂構成部品である。マウスピースカバー１２２０は、キャップ１３７４と２つの互いの鏡像であるアーム１３７６を含む。
【０１３１】
キャップ１３７４は、吸入器患者ポート１１５７のマウスピースを封止するのに適した内部凹状の構造である。キャップ１３７４は、閉じた端１３７８と開いた端１３８０を有する。キャップ１３７４は、そこからアーム１３７６が解放端１３８０に近接して延びる、一対の対向する側壁１３８２を画定する。
【０１３２】
各アーム１３７６は、自由端１３８４へ延びる、細長い、概ね平らな構造である。自由端１３８４に、かつ各アーム１３７６の内向きに対向する面上に、カム１３８６が設けられている。カム１３８６は、２つの接線方向に延びる対向する翼１４３６を有する、概ね柱状胴体１３８８を含む。カムはまた、柱状胴体１３８８上で中心から外れている、内向きに突出するカムラグ１４３８を画定する。
【０１３３】
図３０ａ及び図３０ｂをみると、ばねスリーブ１４００は、概ね柱状である、一体の、成形された樹脂構成部品であり、第１の（上側の）端１４４０と第２の（下側の）端１４４２を有する。方形の軸方向に延びるスロット１４４４が、ばねスリーブ１４００上の周囲の１つの位置に設けられている。スロット１４４４は、第１の端１４４０から第２の端１４４２に向かってほぼ中ほどに延びている。スロット１４４４から第２の端１４４２へ延びる、軸方向に延びるリッジ１４４６が、設けられている。リッジ１４４６は、ばねスリーブ１４００から半径方向に外向き突出している。リッジ１４４６の内側の側面には、軸方向に延びる凹部１４４８が設けられている。
【０１３４】
２つの細長い開口１４５０が、第１の端１４４０に近接しかつ平行なばねスリーブ１４００内に設けられている。各開口は、湾曲した端１４５２と傾斜した端１４５４を有する。開口１４５０は、ばねスリーブ１４００上の対向する位置にあり、互いに鏡像である。
【０１３５】
ばねスリーブ１４００の第２の端１４４２に、２つのクリップ１４５６が設けられている。２つクリップ１４５６それぞれは、概ね「Ｌ」形状であり第２の端１４４２とともにスロット１４５８を形成する。クリップ１４５６は、第２の端１４４２上の周方向の反対の位置に設けられ、同じ周方向を向いている。
【０１３６】
アセンブリ
上述の構成部品は、主軸Ｘ上に整列されている。図３１ａ及び図３１ｂを（図２０の分解図とともに）参照すると、システムは、組み立てられた状態で、休止状態（保管用に用いられ、概ね動作中でないとき）で、示されている。図３１ａの図は、図１９の断面Ａ内である。図３１ｂの図は、図１９の方向Ｂにおけるものであるが、第１のアクチュエータ本体部分１２１６は除かれている。
【０１３７】
Ｏリング１２１８は、ピストン１２０８上の溝１２６０の中に組み付けられ、ピストン１２０８は、シリンダ１２０６の開いた端の中に挿入されてそれと共に封止を形成する。Ｏリング１２１８は、結果的にピストンの軸方向の動きが空気リーク孔１２４０を通る空気流となるように、シリンダ１２０６の内部の側壁に対して封止する。したがって、ピストン１２０８とシリンダ１２０６の相対な動きは、制動される。更に、孔１２４０はテーパ状にされているので、ピストン１２０８のシリンダ１２０６の中への動きは、ピストン１２０８がシリンダ１２０６を出る動きよりも、抵抗がより小さい。換言すれば、ピストン１２０８とシリンダ１２０６との離間は、ピストン１２０８のシリンダ１２０６の中へ動きよりも、制動される。
【０１３８】
ピストン−シリンダアセンブリは、アクチュエータ本体部分１２１６、１２１７内に位置し、それに対し軸方向に相対的に動くことができる。
【０１３９】
次に、カラー１２１０は、図３１ｂに示されているように外側カラー歯１２９２が下方を向くように、アクチュエータ本体部分１２１６、１２１７の中へ配置される。カラー１２１０の環１２７２の上側の面１２８６は、対応するアクチュエータ本体部分１２１６、１２１７のカラー当接部１４０８、１４３０に当接している。カラーは、ピストン胴体１２４２を取り囲んでいる。内側カラー歯１２８０の上側の面１２８２は、ピストン歯１２５０の下方を向いた面１２５２に面している。
【０１４０】
次に、トランスファ１２１２は、アクチュエータ本体部分１２１６、１２１７の中に挿入されてカラー１２１０の下面に係合している。トランスファ支え面１３１６は、カラー環１２７２の下側の面１２８８に載り、それに対して相対的に回転することができる。
【０１４１】
アクチュエータリング１２０４は、アクチュエータ本体部分１２１６、１２１７の内部に固定され、アクチュエータリング当接部１４１０、１４３２上に休止する。リング１２０４の回転は、アクチュエータリング当接部１４１０の中央の間隙１４１２内への維持部材１２２７の捕捉によって禁止される。一旦組み立てられると、アクチュエータリング１２０４は、アクチュエータ本体部分１２１６、１２１７に相対的に動くことはできない。例えば、それは、それに結合されてもよい。図３１ｂに示されているように、アクチュエータリング１２０４の上方に向いた歯１２２８は、カラー１２１０の下方に向いた外側歯１２９２に整列されている。
【０１４２】
図３１ｃを参照すると、ばね１２１４とばねスリーブ１４００のサブアセンブリであるエネルギー蓄積構成が、示されている。ばね１２１４は、クリップ１４５６がリブ１３３４、１３３５の間の間隙を通るまで、第１の端１４４０からばねスリーブ１４００の中に挿入される。ばねスリーブ１４００の第２の端１４４２は、リブ１３３４、１３３５に当接している。このとき、タブ１３３６（図３１ｃでは見えない）は、ばねスリーブ１４００の内側の壁によって押し下げられる。そして、ばねスリーブ１４００は、リブ１３３４、１３３５がスロット１４５８に入り、タブ１３３６が凹部１４４８の中に外向きに戻るように、図３１ｃに示された位置へ回転する。このようにして、ばね１２１４とばねスリーブ１４００は、それらの対応する第１の（下側の）端で取り付けられる。ばね１２１４は依然として延びていることができることがわかる。
【０１４３】
ばね１２１４とばねスリーブ１４００は、ばね軸１３２０がピストン１２０８の中へ通るように、アクチュエータ本体部分１２１６、１２１７の中に挿入される。３つアライメント溝１３５４は、リブ１２６６によって係合され、ばね１２１４とピストン１２０８は、結合されて相対的動きを阻止する（ばねの変形に起因する動きを免れさせる）。トランスファ１２１２の脚は、ばね胴体１３１８の脚開口１３４０を通り、ばね１２１４とトランスファ１２１２との間の相対的な回転の動きではなく、相対的な軸方向の動きを可能にする。ばね歯１３４２は、カラー１２１０の５つの内側歯１２８０の下方に向いた面１２８４に面する。
【０１４４】
ばねのアライメントペグ１３３２は、ばねのこの部分が縦に摺動することができるように、アクチュエータリング１２０４のスロット１２２５に係合する。
【０１４５】
マウスピースカバー１２２０は、以下の方法で第１のアクチュエータ本体部分１２１６の上へスナップで嵌合される。
【０１４６】
図３１ｅから図３１ｇを参照すると、第１のアクチュエータ本体部分１２１６上へのマウスピースカバー１２２０の据付が、詳細に示されている。マウスピースカバー１２２０は、吸入器の主軸Ｘと平行である軸Ｙを規定する休止位置を有する。休止位置で、マウスピースカバー１２２０は、吸入器マウスピースを覆う（図３１ｇ参照）。
【０１４７】
図３１ｅ及び図３１ｆでは、マウスピースカバー１２２０のアーム１３７６は、カム１３８６が第１のアクチュエータ本体部分１２１６内の開口１４１６に整列されることができるように、弾性的に離されている。カム１３８６は、マウスピースカバー１２２０のアーム１３７６が第１のアクチュエータ本体部分１２１６の壁１４１４に摺動する接触となるように、開口１４１６に入っている。カム１３８６の開口１４１６との完全な係合のために、カム１３８６の翼１４３６は開口１４１６の翼１４１８、１４２０に整列される必要があることが、わかるであろう。これは、マウスピースカバー１２２０の１つの特定の回転組立角ＡＡにおいて、より詳細には、軸Ｙからマウスピースカバー軸Ｍのまわりに約２００度において、のみ起こる（図３１ｅ）。図３１ｆを参照すると、カム１３８６の１つが開口１４１６に入った詳細な図が示されている。
【０１４８】
マウスピースカバー１２２０は、図３１ｇで休止位置へ回転されている（そこではキャップ１３７４がｐＭＤＩ  １１５０のマウスピースを覆っている）。この位置で、翼１４３６は、第１のアクチュエータ本体部分１４１６の内側の側面に当接してマウスピースを所定の位置に保持する（但し、軸Ｍのまわりの回転を許容する）。第１のアクチュエータ本体部分１２１６の上への第２のアクチュエータ本体部分１２１７の組立とともに、マウスピースカバーは、図３１ｅ及び図３１ｆの組立位置に向かって１８０度よりも更に回転することはもはやできないことに留意されたい。なぜならば、マウスピースカバー１２２０は、第２のアクチュエータ本体部分１２１７の頂部後縁上を通過することができないからである。これは、吸入器が一旦完全に組み立てられるとマウスピースカバーを取り外すことがたいへん困難であることを確実にする。
【０１４９】
カムラグ１４３８は、ばねスリーブ１４００上の開口１４５０に係合する（図３１ｄ）。
【０１５０】
動作
ｐＭＤＩ  １１５０は、次のように用いられる。ｐＭＤＩ  １１５０の動作は、以下に説明されるように多くの動作の状態又は段階を通して記述されるのが最適である。
【０１５１】
１．休止状態
休止状態が、図３１ａから図３１ｄに示されている。この状態で、缶５３を有するキャニスタ５１と弁ステム５８を有する絞り弁５４は、ｐＭＤＩ内に設けられている。ステム５８は、ｐＭＤＩ１１５０内で静止しているステム当接部に当接している。休止状態において、キャニスタ５１の下方への移動は、トリガアセンブリ（ここには記載されないが、当業界において一般に知られている）の部分であるトリガ当接部によって禁止される。
【０１５２】
この位置で、キャニスタ５１は、ばね１２１４内に部分的に位置し（図３１ａ）、トランスファ１２１２の脚部１３０２の自由端１３１２は、キャニスタ５１の底に当接している（それは逆さにされているため）。トランスファ１２１２は、その外側カラー歯１２９２がアクチュエータリング１２０４の下方に突出している歯１２２８に整列されて、そこに向いているカラー１２１０を支持している。
【０１５３】
ばね１２１４はまた、休止位置にあり、エネルギーを蓄えていない。ばねは、ばねスリーブ１４００に固定され、次にばねスリーブ１４００はマウスピースカバー１２２０のラグ１４３８上に支持される。ばね軸１３２０は、ピストン１２０８に取り付けられているので、シリンダ１２０６も支持する。ピストン１２０８とシリンダ１２０６は、図３１ａに示されているようにピストンがシリンダの基部に当接した状態で、十分に係合する。ピストン歯１２５０は、内側カラー歯１２８０から軸Ｘに沿って間隔をおいて配置されている。
【０１５４】
ばね１２１４の環状の面１３３８は、内側カラー歯１２８０の下側の端によって、ばね歯１３４２によりそれらが互いかみ合わせられるように、当接されている。
【０１５５】
２．準備された状態
図３２ａから図３２ｃをみると、マウスピースカバー１２２０は、（図３２ｂを参照すると）ラグ１４３８がハウジング内で下方に動いたように、マウスピースカバー軸Ｍのまわりに回転している。ラグ１４３８はばねスリーブ内で開口１４５０に係合しているので、マウスピースカバー１２２０の回転は、ばねスリーブ１４５０を縦方向下方に押す。この動作はまた、ばね１２１４に張力を加えて、それを下方に引く。
【０１５６】
図３２ｅから図３２ｇをみると、第１のアクチュエータハウジング部分１２１６に対して休止位置から準備された位置へのマウスピースカバー１２２０の回転の２つの中間ステップが示されている。第２のハウジング部分１２１７は、明瞭性のため省略されている。図３２ｅで、マウスピースカバーは、９０度の角度Ａだけ回転しており、ラグ１４３８は、その休止位置（隠れ線で示されている）から距離Ｄ１動いている。この位置で、マウスピースカバーはユーザの顔にぶつかってしまうであろうから、吸入器は使用できない。図３２ｆで、マウスピースカバー１２２０は、約１３５度の角度Ｂだけ回転している。この位置で、ラグ１４３８は、合計距離Ｄ２だけ下方に動かされており、ばね１２１４は、十分に張力をかけられている（すなわち、機構を作動させるために十分なエネルギーを有する）。図３２ｆから３２ｇへの、すなわち１８０度の角度Ｃへの動きの最終段階は、ラグ１４３８をＤ３の総変位量へ動かす。しかしながら、ラグ１４３８の湾曲した経路のために、Ｄ２からＤ３への距離が最小である（及び上述したようにばね１２１４は既に十分に張力をかけられている）ことがわかるであろう。したがって、ユーザがＤ２とＤ３との間のいずれかの点で吸入器を使用しようとしたなら、それは十分に動作することになるであろう。
【０１５７】
図３２ｃを参照すると、最初にばね１２１４にかかるこの下向きの力が作用してピストン１２０８を下方に引く（ピストン１２０８とばね１２１４は取り付けられている）。シリンダ１２０６の下方への動きはこの段階では抵抗を受けないので、空気孔を通した空気流の抵抗のためばかりでなく、重力及びＯリング１２１８の摩擦のために、シリンダもまた図３２ｃに示されているように下方に動く。トランスファ１２１２は、キャニスタ５１に当接しているので、このときには静止したままである。ばね１２１４の頂部が軸Ｘに沿って下方に動くにつれて、ばね１２１４とトランスファ１２１２は、トランスファ脚１３０２が脚開口１３４０内で摺動できるという事実のために、離れるように動き始める。
【０１５８】
この初期の動きは、図３２ｄに示されているように、ピストン歯１２５０のテーパ状の面１２５２が、内側カラー歯１２８０の第１のテーパ状の端１２８２に当接するまで、起こる。上述の実施形態と同様に、ピストン１２０８とカラー１２１０は、ばねの力をキャニスタに伝達するためのクラッチを形成する。このとき、下向きの力が、トランスファ１２１２とキャニスタ５１（トリガ当接部によって所定の位置に保持されている）の当接のために動くことができないカラー１２１０に、働く。ピストン歯１２５０と内側カラー歯１２８０のテーパ角は、摩擦に打ち勝ちカラー１２１０を回転させる軸のまわりの十分な回転力なしに、縦の力が生成されるように、浅い。
【０１５９】
したがって、ばね軸１３２０は、ピストン１２０８を通してカラー１２１０、トランスファ１２１２及びキャニスタ５１上への確立された負荷経路のために、もはや動くことはできない。マウスピースカバー１２２０が回転し続けるにつれ、ばね１２１４は、伸びて、位置エネルギーを蓄える。一旦マウスピースカバー１２２０が図３２ａに示された位置になると、ばねは、「準備される」。
【０１６０】
３．起動された状態
ユーザが薬剤を出したいとき、トリガ当接部がキャニスタ５１の下方への動きがもはや禁止されていないように動かされるトリガ機構（ここでは説明されない）が、起動される。前には、キャニスタ５１は、トランスファ１２１２の下向きの動きに抵抗しており、次にはトランスファ１２１２がピストン１２０８を保持ししたがってばね１２１４の上側端を保持していた（張力の下に）。キャニスタ５１の解放は、トランスファ１２１２、カラー１２１０及びピストン１２０８が下方に動くように開放し、ピストン１２０８上のばね１２１４の張力によって、引かれる。ばねの力Ｆｓは、ばね１２１４からピストン１２０８を通してカラー１２１０の中へ（即ち、ピストン１２０８とカラー１２１０によって形成されたクラッチを通して）そしてトランスファ１２１２に伝達される。ばね１２１４内の蓄えられたエネルギーが解放されると、それは、弁ステム５８を弁ステム当接部上に押し付ける役割を果たす。これはまた、弁５４内の弁ばねのバイアスに対して作用してキャニスタ５１を開き、薬剤の用量を放出させる。
【０１６１】
このとき、ばねの力Ｆｓは、弁ばねのバイアスの力Ｆｖに対抗してキャニスタ５１に加えられる（図３３）。
【０１６２】
カラー１２１０が下方に動くにつれて、各外側カラー歯１２９２のテーパ状の面１２９４が、アクチュエータリング１２０４の歯１２２８のテーパ状の面１２３２に係合する。これは、カラー１２１０を軸Ｘのまわりに＋Ｒ方向に回転させるように作用し、ピストン１２０８とカラー１２１０によって形成されたクラッチを開放された状態へ動かし始める。
【０１６３】
４．自動開放状態
ピストン１２０８（これは、ばね１２１４に取り付けられているので、回転できない）に相対的なカラー１２１０の回転の所定の角度で、カラー１２１０とピストン１２０８によって形成されたクラッチは、直線的な意味において引き離される（又は解放される）ことになる。これは、内側カラー歯１２８０が、ピストン１２０８とカラー１２１０との間の相対的直線的な動きを可能にするピストン歯１２５０の間の間隙を通して結局動くことができるからである（図３４参照）。これは、ばね１２１４とキャニスタ５１との間の負荷経路を遮断する。
【０１６４】
５．缶リセット状態
システムは、今度は、反対の力ＦｓとＦｖをうける２つのサブアセンブリに離間される。図３４について説明する。
【０１６５】
一方で、キャニスタ弁におけるばねの復帰力Ｆｖは、続いてカラー１２１０をアクチュエータリング１２０４から離れるように持ち上げるトランスファ（キャニスタ５１を介して）に上向きの力を加える。カラー１２１０は、シリンダ１２０６を支持し、シリンダ１２０６もまた上方に持ち上げられる。
【０１６６】
他方で、ばね１２１４に残っている張力Ｆｓは、ピストン１２０８を下方に引くように作用する。このため、キャニスタ５１がその休止（非作動）位置に戻るとき、その動きはピストン１２０８とシリンダ１２０６の離間によって制御される。上述したように、ピストンとシリンダの相対的な動きは、空気リーク孔１２４０の中への空気の進入によって、制御される。したがって、キャニスタの復帰（すなわち、キャニスタの復帰のタイミング）が制御され、上記問題を回避する。
【０１６７】
６．休止状態への復帰
ユーザは、マウスピースカバー１２２０を回転させてその元の位置に戻し、これは、ラグ１４３８を上方に引くこと及びばね１２１４を持ち上げることの効果（図３２ｅ参照すると）を有する。この動きは、ピストン１２０８をシリンダ１２０６の中に再係合させる。空気リーク孔１２４０の形状は、上記の空気侵入のための排出と比較して、空気脱出のための排出のより高い係数を提供する。
【０１６８】
ばね１２１４の頂部が、カラー１２１０に向かって動くと、各ばね歯１３４２のテーパ状の面１３４４が、５つの内側カラー歯１２８０のうちの１つのテーパ状の第２の端１２８４に係合して、カラー１２１０を更に回転させる。回転は、内側カラー歯１２８０がピストン歯１２５０の直下に位置し及び外側カラー歯１２９２がアクチュエータリング歯１２２８上に位置し次の動作に対して準備完了するように起こる。
【０１６９】
第３実施形態
図３５から図５０をみると、本発明の一実施形態に従う第３のｐＭＤＩ２１５０が示されている。ｐＭＤＩ２１５０は、キャニスタ５１を含むハウジング又はアクチュエータ２１５５を含む（図３６）。キャニスタ５１には、医薬製剤が入っている。キャニスタは、図１を参照して説明されたキャニスタ５１と同じ種類であり、絞り弁を有する缶を含むことが、理解されるであろう。キャニスタは、ハウジング２１５５内に位置する。ｐＭＤＩ２１５０は、詳細な説明において上述したように、患者がマウスピースを通して吸入するときに、弁のステム部分に相対的なキャニスタの下方への動きを可能にするステムソケットとトリガアセンブリを有する。ステムソケットとトリガアセンブリは、図示の明瞭性のために図３６から省略されている。
【０１７０】
ｐＭＤＩ２１５０は、吸気オリフィス（又は空気出口）を画定する患者ポート２１５７の形態の（例えば、マウスピースの形態の）部分を含む。吸入器のこのような患者ポートは、本明細書中では簡略化のために、「マウスピース」と呼ばれる場合がある。しかしながら、こうしたマウスピースは、これにかえて、鼻吸入器のノーズピースであるように構成されることができ、本開示は本明細書中に特に言及されていない場合であっても鼻吸入器に等しく適用できることが、理解される。
【０１７１】
ハウジング２１５５はまた、本発明の一実施形態に従うリセット機構を含む上側部分２２０２を含む。
【０１７２】
図３６を参照すると、リセット機構の分解図が提供されている。リセット機構は、アクチュエータリング２２０４、シリンダ２２０６、ピストン２２０８、トランスファカラー２２１０、ばね２２１４、スリーブ２４００、ばね当接部２２１２、第１のアクチュエータ本体部分２２１６、第２のアクチュエータ本体部分２２１７、Ｏリング２２１８及びマウスピースカバー２２２０を含む。
【０１７３】
図３７を参照すると、アクチュエータリング２２０４は、成形された樹脂材料からつくられた一体の柱状体であり、第１の、上側の、縁２２２２と第２の、下側の、縁２２２４を有する。第１の縁２２２２は、一連の１２の軸方向に延びる歯２２２８を画定する。各歯２２２８は、その自由端において概ね三角形の構造であり、端平坦部２２３４で合わさる、直線状の軸方向の縁２２３０とテーパ状の面２２３２（軸方向及び周方向の両方に延びる）を有する。各歯２２２８の縁２２２２は、歯間間隙２２３６によって隔てられている。第２の縁２２２４は、一対の対向する湾曲した凹部２２２６を画定する。凹部２２２６の間には、細長い、アクチュエータリング２２０４の壁を通して周方向に延びるスロット２２２７が、設けられている。
【０１７４】
図３８を参照すると、シリンダ２２０６は、成形された樹脂材料からつくられた一体の柱状体である。シリンダは、第１の、上側の、端２２３８で閉じられており、第２の、下側の、縁２２４１で開いている。上側の閉じられた端２２３８の中央には、同軸の空気リーク孔２２４０が設けられている。空気リーク孔２２４０は、後に説明される技術的効果（制動）を提供する大きさにつくられ、そのようなものとして、正確な大きさが、熟練した技術者によって決定されることができる。空気リーク孔２４０及び１２４０と同様に、空気リーク孔２２４０は、シリンダ２２０６の内部からシリンダ２２０６の外部まで面積を減少させるようにテーパ状にされている。この結果、孔２２４０を通して空気がシリンダに入るよりも、孔２２４０を通して流体がシリンダを出る排出の効率の方が高くなる。
【０１７５】
図３９ａ及び図３９ｂを参照すると、ピストン２２０８が示されている。ピストン２２０８は、一体の成形された樹脂構成部品である。ピストン２２０８は、概ね柱状のピストン胴体２２４２とその一端のピストンヘッド２２４４を含む。
【０１７６】
胴体２２４２は、ピストンヘッド２２４４が位置する、第１の、上側の、端２２４６、及び、開いている、第２の、下側の、端２２４８を有する中空のシリンダである。胴体２２４２は、その外側の面上に、１２個の、同一の、等間隔に配置された、軸方向に延びる歯２２５０を、画定する。各歯２２５０は、第１の端２２４６から第２の端２２４８に向かって延びる（歯は胴体２２４２に沿って途中まで延びているだけであるけれども）。歯２２５０それぞれは、周方向及び軸方向の両方に延びるテーパ状の面２２５２を画定する自由端を末端とする。胴体２２４１は、６つの内方に突出する細長い軸方向リブ２４７０を更に画定する。
【０１７７】
ピストンヘッド２２４４は、半径方向の縁２２５８を有する円形のピストン端キャップ２２５６を含む。端キャップ２２５６は、胴体２２４２の第１の、上側の、端２２４６に位置する。ヘッド２２４４は、胴体２２４２の第２の端２２４８に向かって軸方向に延びるＯリング受けチャンネル部２２６０を含む。Ｏリング受けチャンネル部２２６０は、キャップ２２５６の半径方向縁２２５８と環状リング部２２６４の半径方向縁２２６２によって形成されている。端キャップ２２５６の下側（すなわち、胴体２２４２の内部に対向する面）には、その上に画定された２つの翼２２６７を有する、中心の軸方向に延びる軸２２６６が設けられている。
【０１７８】
図４０をみると、Ｏリング２２１８が示されている。Ｏリング２２１８は、標準構成部品であり、エラストマー材料からつくられて樹脂材料に対して流体的封止を形成するように設計されている。
【０１７９】
図４１ａ及び図４１ｂを参照すると、トランスファカラー２２１０が示されている。トランスファカラー２２１０は、第１及び第２実施形態のカラー２１０、１２１０とトランスファ２１２、１２１２の機能を結び付けている。したがって、トランスファカラー２２１０は、１つの一体の構成部品内にトランスファとカラーを効果的に含んでいる。トランスファカラー２２１０は、一体の成形された樹脂構成部品である。
【０１８０】
トランスファカラー２２１０は、中央の柱状軸２２７０と環２２７２を含む。
【０１８１】
軸２２７０は、第１の、上側の、端２２７４と第２の、下側の、端２２７６を有する。軸２２７０は、一連の１２の等間隔に配置された外側軸歯２２７８と一連の１２の等間隔に配置された内側軸歯２２８０を画定する。外側軸歯２２７８は、第１の端２２７４から第２の端２２７６へ延びる。内側軸歯２２８０それぞれは、軸２２７０に沿ってほぼ中ほどに、テーパ状の第１の、上側の、端２２８２を画定し、下側の端において環２２７２に接合する。
【０１８２】
環２２７２は、軸２２７０の第２の端の内方及び外方の両方に延びている。環２２７２は、第１の、上側の、面２２８６と第２の、下側の、面２２８８を含む。環２２７２は、外側リム２２９０を画定する。外側リム２２９０には、１２個の外側カラー歯２２９２が位置している。各外側カラー歯２２９２は、半径方向に外向きにかつ第２の面２２８８から離れるように軸方向下方に延びている。各外側カラー歯２２９２は、テーパ状にされて第２の面２２８８から延びるにつれて狭くなる。各歯２２９２は、端平坦部２２９８において合わさる、テーパ状の又は傾斜した面２２９４及び平らな、軸方向の面２２９６を画定する。
【０１８３】
軸２２７０から離れるように環２２７２から延びる、３つの等間隔に配置された、軸方向に延びる脚２３０２が設けられている。各脚２３０２は、自由端２３１２及び脚と環２２７２との間に延びる小さな傾斜部２３１４を有する。傾斜部２３１４は、テーパ状の面によって画定されている。各傾斜部２３１４は、それぞれの脚２３０２の一方の側に位置する。
【０１８４】
図４２ａ及び図４２ｂをみると、スリーブ２４００が詳細に示されている。スリーブ２４００は、一体の、成形された、樹脂構成部品である。スリーブ２４００は、柱状のスリーブ胴体２３１８及びそこから突出するスリーブ軸２３２０を含む。
【０１８５】
スリーブ胴体２３１８は、概ね柱状であり、第１の、上側の、端２３２２と第２の、下側の、端２３２４を有する。スリーブ胴体２３１８は、胴体２３１８の壁を通る第１と第２の対向するスロット２３３０を画定する。各スロット２３３０は、テーパ状の端２３３１と湾曲した端２３３２を有する。湾曲した端２３３２は互いに対向している。テーパ状の端２３３１は、結果的にスリーブ胴体２３１８の外側の面においてよりもスリーブ胴体２３１８の内側の面においてより短いスロットとなる。
【０１８６】
胴体２３１８の第１の端２３２２は、３つの脚開口２３４０を画定する環状の面２３３８を末端とする。各脚開口２３４０は、円形のセグメントとして形成されている。
【０１８７】
スリーブ軸２３２０は、環状の面２３３８の中央から延び、中空シリンダとしてつくられている。スリーブ軸２３２０は、同軸の開口２３５１を有する第１の、上側の端２３５０と、そこでそれが環状の面２３３８に接合する第２の、下側の、端２３５２を有する。スリーブ軸２３２０は、第１の端２３５０から第２の端２３５２へ軸方向に延びる、６つの軸方向に延びる等間隔に配置された溝２３５４を有する。
【０１８８】
図４３ａ及び図４３ｂを参照すると、ばね当接部２２１２が示されている。ばね当接部２２１２は、軸２４６０と張出ヘッド２４６２を含み、それらの間のショルダ２４６３を画定する。軸２４６０は、概ね柱状であり、概ね円形状で２つの対向する翼２４６６を有する開口２４６４を画定する。ヘッド２４６２は、その中心に開口２４６８を画定する。
【０１８９】
図４４を参照すると、ばね２２１４が、示されており、これは、金属の圧縮ばねである（その休止状態で示されている）。
【０１９０】
図４５ａ及び図４５ｂを参照すると、アクチュエータ本体部分２２１６と２２１７が分解された形態で詳細に示されている。
【０１９１】
第１のアクチュエータ本体部分２２１６は、湾曲した壁２４０２、第１の端２４０４及び第１の端の反対の第２の端２４０６を有する、概ね細長く凹状である、一体の、成形された樹脂構成部品である。凹状壁２４０２の内側の側面上に、ショルダの形態の下方に向いたトランスファカラー当接部２４０８、及び周方向に及び半径方向に内向きに延びるリブの形態のアクチュエータリング当接部２４１０が、設けられている。壁２４０２はまた、何れもその側面から延びる２つの平行な側面パネル２４１４も含む。各側面パネル２４１４は、平らで、その中に開口２４１６を画定する。開口２４１６は、概ね円形であり、それから接線方向に延びる２つの対向する翼２４１８、２４２０を有する。壁２４０２はまた、４つの長手方向に延びる補剛リブ２４２２も画定する。両開口２４１６は、マウスピースカバー軸Ｍ上にある。
【０１９２】
第２のアクチュエータ本体部分２２１７は、湾曲した壁２４２４、第１の端壁２４２６及び第１の端壁の反対の第２の端壁２４２８を有する、概ね細長く凹状である、一体の、成形された樹脂構成部品である。凹状壁２４２４の内側の側面上に、ショルダの形態の下方に向いたカラー当接部２４３０が設けられている。壁２４２４はまた、４つの長手方向に延びる補剛リブ２４３４も画定する。
【０１９３】
図４６を参照すると、マウスピースカバー２２２０がより詳細に示されている。マウスピースカバー２２２０は、一体の、成形された樹脂構成部品である。マウスピースカバー２２２０は、キャップ２３７４と２つの互いの鏡像であるアーム２３７６を含む。
【０１９４】
キャップ２３７４は、吸入器患者ポート２１５７のマウスピースを封止するのに適した内部凹状の構造である。キャップ２３７４は、閉じた端２３７８と開いた端２３８０を有する。キャップ２３７４は、そこからアーム２３７６が解放端２３８０に近接して延びる、一対の対向する側壁２３８２を画定する。
【０１９５】
各アーム２３７６は、自由端２３８４へ延びる、細長い、概ね平らな構造である。自由端２３８４にかつ各アーム２３７６の内向きに対向する面上に、カム２３８６が設けられている。カム２３８６は、２つの接線方向に延びる対向する翼２４３６を有する、概ね柱状胴体２３８８を含む。カムはまた、柱状胴体２３８８上で中心から外れている、内向きに突出するカムラグ２４３８を画定する。
【０１９６】
アセンブリ
上述の構成部品は、主軸Ｘ上に整列されている。図４７ａから図４７ｄを（図３６の分解図とともに）参照すると、システムは、組み立てられた状態で、休止状態で（保管用に用いられ、概ね動作中でないとき）、示されている。図４７ａの図は、図３５の断面Ａ内である図４７ｂ及び図４７ｃの図は、概ね図３５の方向Ｂにあるが、図４７ｂの場合には第１のアクチュエータ本体部分２２１６が取り除かれており、図４７ｃでは両方のアクチュエータ本体部分が取り除かれている。図４７ｄの図は、図４７ａの概ねＤの方向における断面である。
【０１９７】
トランスファカラー２２１０は、脚２３０２を開口２３４０の中へ通すことによってスリーブ２４００に組み付けられる。図４７ｄを参照すると、脚２３０２と傾斜部２３１４は、スリーブ２４００の開口２３４０内に十分に係合されている。
【０１９８】
図４７ａを参照すると、ばね２２１４は、スリーブ軸２３２０の中に挿入されて、その上側の端２３５０に当接する。そして、ばね当接部２２１２は、軸２４６０の端がスリーブ軸２３２０の開口２３５１の中に延びるように、ばね２２１４の中に挿入される。これにより、ばね２２１４は、ばね当接部２２１２のショルダ２４６３によって捕捉される。ばね当接部は、軸Ｘに沿ってスリーブ２４００に相対的に摺動することができて、ばね２２１４を圧縮する。スリーブ２２４０、ばね２２１４及びばね当接部２２１２のサブアセンブリは、エネルギー蓄積構成を形成する。
【０１９９】
ピストン２２０８は、ピストン軸２２６６がばね当接部２２１２上の開口２４６４に係合し嵌合するようにスリーブ軸２３２０上で摺動する。ピストン軸２２６６の端は、ばね当接部２２１２のヘッド２４６２に当接し、ピストン２２０８とばね当接部が固定されるようにそれに結合される。
【０２００】
また、ピストン２２０８の内向きに延びるリブ２４７０がスリーブ軸２３２０の外面上の溝２３５４に係合してスリーブ２４００に相対的にピストン−ばね当接部のサブアセンブリの相対的な摺動を容易にすることがわかるであろう。
【０２０１】
Ｏリング２２１８は、ピストン２２０８上の溝２２６０の中に組み付けられ、ピストン２２０８は、シリンダ２２０６の開いた端の中に挿入されてそれと共に封止を形成する。Ｏリング２２１８は、ピストンの軸方向の動きが結果的に空気リーク孔２２４０を通る空気流となるように、シリンダ２２０６の内側の側壁に対して封止する。したがって、ピストン２２０８とシリンダ２２０６の相対的な動きは、制動される。更に、孔２２４０はテーパ状にされているので、ピストン２２０８のシリンダ２２０６の中への動きは、ピストン２２０８がシリンダ２２０６を出る動きよりも、抵抗がより小さい。換言すれば、ピストン２２０８とシリンダ２２０６との離間は、ピストン２２０８がシリンダ２２０６に入っていく動きよりも、制動される。
【０２０２】
トランスファカラー２２１０、スリーブ２４００、ばね２２１４、ばね当接部２２１２、ピストン２２０８、Ｏリング２２１８及びシリンダ２２０６のアセンブリは、アクチュエータ本体部分２２１６、２２１７内に位置し、それに対し軸方向に相対的に動くことができる。
【０２０３】
そして、アクチュエータリング２２０４は、アクチュエータ本体部分２２１６、２２１７内に位置し、スロット２２２７のアクチュエータリング当接部２４１０との係合によってそれに対して相対的に静止して保持される。
【０２０４】
この休止位置において、外側カラー歯２２９２は、図４７ｂに示されているように下方を向いて、アクチュエータリング歯２２２８のテーパ状の縁２２３２に面する。歯２２９２、２２２８は、オフセットされている。内側カラー歯２２８０の上側の面２２８２は、ピストン歯２２５０の下方を向いた面２２５２に面する。トランスファカラー２２１０の歯２２９２の上側の面は、対応するアクチュエータ本体部分２２１６、２２１７のカラー当接部２４０８、２４３０に当接する。
【０２０５】
マウスピースカバー２２２０は、第２実施形態と同様の方法で（従って、ここでは詳細には説明されない）第１のアクチュエータ本体部分２２１６にスナップで嵌合される。ばね２２１４を係合させることに代えて、カムラグ２４３８がスリーブ２４００上のスロット２３３０に係合することに留意されたい（図４７ｃ）。アクチュエータリング２２０４上の湾曲した凹部２２２６の提供は、この係合を容易にし、結果としてコンパクトなアセンブリとなる。
【０２０６】
休止位置で、マウスピースカバー２２２０は、吸入器マウスピースを覆う（図３５参照）。
【０２０７】
動作
ｐＭＤＩ  ２１５０は、次のように用いられる。ｐＭＤＩ  ２１５０の動作は、以下に説明されるように多くの動作の状態又は段階を通して説明されるのが最適である。
【０２０８】
１．休止状態
休止状態が、図３５、図３６及び図４７ａから図４７ｄに示されている。この状態で、缶５３を有するキャニスタ５１及び弁ステム５８を有する絞り弁５４は、ｐＭＤＩ内に設けられる。ステム５８は、ｐＭＤＩ２１５０内で静止しているステム当接部に当接する。休止状態において、キャニスタ５１の下方への移動は、トリガアセンブリ（ここには記載されないが、当業界において一般に知られている）の部分であるトリガ当接部によって禁止される。
【０２０９】
この位置で、キャニスタ５１は、スリーブ２４００内に部分的に位置し（図４７ａ）、トランスファカラー２２１０の脚部２３０２の自由端２３１２は、キャニスタ５１の底に当接している（それは逆さにされているため）。外側カラー歯２２９２のテーパ状の面２２９４は、アクチュエータリング２２０４の上方に突出する歯２２２８のテーパ状の面に、整列され、面している（図４７ｂ）。
【０２１０】
ばね２２１４もまた、休止位置にあり、エネルギーを蓄えていない。図４７ａに示されているように、ばね２２１４は、長さＳ１にある。ピストン２２０８とシリンダ２２０６は、図４７ａに示されているように、ピストン内に十分に係合されたスリーブ軸２３２０に、十分に係合されている。ピストン歯２２５０は、内側カラー歯２２８０から軸Ｘに沿って間隔をおいて配置されている。
【０２１１】
２．準備された状態
図４８ａから図４８ｂをみると、マウスピースカバー２２２０は、ラグ２４３８がハウジング内で下方に動きスリーブ２４００を縦方向に下方に引いたように、マウスピースカバー軸Ｍのまわりに回転している。
【０２１２】
図４８ｂを参照すると、スリーブ２４００は、ばね２２１４に軸Ｘに沿って下向きの力をもたらす（明瞭性のため図４８ｂから省略されている）。これは、次には、ばね当接部２２１２を下方に引き、次には、ばね当接部２２１２は、ピストン２２０８を下方に引く。ピストン２２０８とシリンダ２２０６の離間に対する抵抗があるので（開口２２４０とＯリング２２１８の両方の大きさのために）、シリンダ２２０６もまた、トランスファカラー２２１０の軸２２７０の第１の端２２７４に当接するまで、下方に引かれる。同時に、図４８ｃに示されているように、ピストン歯２２５０のテーパ状の面２２５２は、内側軸歯２２８０の端２２８２に当接する。
【０２１３】
キャニスタ５１は、トリガ機構によって所定の位置に保持され、従って、トランスファカラー２２１０は、下方に動くことができないことがわかるであろう。シリンダ２２０６とピストン２２０８はいずれも、両方ともトランスファカラー２２１０によって支持されているので、更に下方に動くことはできない。
【０２１４】
スリーブ２４００を下に引くマウスピースカバー２２２０の更なる動きは、ばねを長さＳ２に圧縮する（図４８ｂ）。これにより、ばねは、キャニスタ５１のための作動エネルギーを蓄える。
【０２１５】
図３２ｅから図３２ｇと同様に、ばね２２１４は、マウスピースの中間の位置に十分に圧縮される（すなわち、機構を作動させるに十分なエネルギーを有する）。
【０２１６】
３．起動された状態
ユーザが薬剤を出したいとき、キャニスタ５１の下方への動きがもはや禁止されないようにトリガ当接部が動かされるトリガ機構（ここでは説明されない）が、起動される。
【０２１７】
準備された状態において、キャニスタ５１は、トランスファカラー２２１０の下向きの動きに抵抗しており、これは次にピストン２２０８を、したがってばね当接部２２１２を介してばね２２１４（圧縮状態にある）の下側の端を、持ち上げるように保持していた。
【０２１８】
キャニスタ５１の解放は、トランスファカラー２２１０を下向き方向に解放する。スリーブ２４００は、マウスピースカバー２２２０によって所定の位置に保持されているので、ばね２２１４は、ばね当接部−ピストンのアセンブリを下向きの方向に押し、これは次にトランスファカラー２２１０に下向きの力をもたらす（図４８ｃに示された歯の当接部のために）。したがって、ばね２２１４のエネルギーが作用して、弁ステム当接部上へ弁ステム５８を押すことによってキャニスタ５１を圧縮する。これはまた、キャニスタ５１を開け薬剤の用量を放出するように弁５４内の弁ばねのバイアスに対して作用する。
【０２１９】
このとき、ばねの力Ｆｓは、弁ばねのバイアスの力Ｆｖに抗してキャニスタ５１に加えられている（図４９）。
【０２２０】
引き続き図４９を参照すると、トランスファカラー２２１０が、軸Ｘに沿って下方に動くにつれて、外側カラー歯２２９２のテーパ状の面２２９４は、アクチュエータリング２２０４の歯２２２８のテーパ状の面２２３２に係合する。これは、トランスファカラー２２１０を軸Ｘのまわりに方向＋Ｒに回転させるように作用し、ピストン２２０８とトランスファカラー２２１０によって形成されたクラッチを解放された状態へ動かし始める。
【０２２１】
４．自動開放状態
ピストン２２０８（これは回転できない）に相対的なトランスファカラー２２１０の回転の所定の角度で、トランスファカラー２２１０とピストン２２０８によって形成されたクラッチは、直線的な意味において引き離される（又は解放される）ことになる。これは、内側カラー歯２２８０が、ピストン２２０８とトランスファカラー２２１０との間の相対的に直線的な動きを可能にするピストン歯２２５０の間の間隙を通して結局動くことができるからである（図５０参照）。これは、ばね２２１４とキャニスタ５１との間の負荷経路を遮断する。
【０２２２】
５．缶リセット状態
システムは、今度は、反対の力ＦｓとＦｖをうける２つのサブアセンブリに離間される。図５０について説明する。
【０２２３】
一方で、キャニスタ弁におけるばねの復帰力Ｆｖは、トランスファカラー２２１０に、それがアクチュエータリング２２０４から離れるように持ち上がるように、（キャニスタ５１を介して）に上向きの力を加える。トランスファカラー２２１０は、これもまた上方に持ち上げられるシリンダ２２０６を支持する。
【０２２４】
他方で、ばね２２１４に残っている圧縮的な力Ｆｓは、ピストン２２０８を下方に引くように作用する。このため、キャニスタ５１がその休止（非作動）位置に戻るとき、その動きはピストン２２０８とシリンダ２２０６の離間によって制御される。上述したように、ピストンとシリンダの相対的な動きは、空気リーク孔２２４０の中への空気の進入によって、制御される。したがって、キャニスタの復帰（すなわち、キャニスタの復帰のタイミング）が制御され、上記問題を回避する。
【０２２５】
６．休止状態への復帰
ユーザは、マウスピースカバー２２２０を回転させて元の位置に戻し、これは、ラグ２４３８を上方に引くこと及びスリーブ２４００持ち上げることの効果を有する。この動きは、ピストン２２０８をシリンダ２２０６の中に再係合させる。空気リーク孔２２４０の形状は、上記の空気侵入のための排出と比較して、空気脱出のための排出のより高い効率を提供する。
【０２２６】
スリーブ２４００の上向きの動きは、傾斜部２３１４がトランスファカラー２２１０の復帰の／逆の回転を起こさせるように、スリーブ２４００の脚開口２３４０内に脚２３０２を十分に係合させるように作用する。図４７ｄを参照すると、起動されたとき、クラッチの開放は、方向＋Ｒに作用する。復帰して休止するとともに、トランスファカラーは、傾斜部２３１４によって方向−Ｒにその元の位置に回転して戻る。ｐＭＤＩ１５０及びｐＭＤＩ１１５０と対照的に、トランスファカラー２２１０（カラー２１０、１２１０のようではなく）は、連続的に回転させる動きに代えて逆の回転の動きを有する。元の位置に戻る回転は、ピストン歯２２５０のテーパ状の面２２５２と内側軸歯２２８０の端２２８２を再整列させる。換言すれば、クラッチは、軸方向の力がばねから次の動作の準備が完了しているキャニスタへ伝達されることができる位置にリセットされる。
【０２２７】
第４実施形態
図５１から図６４をみると、本発明の一実施形態に従う第４のｐＭＤＩ３１５０の部分が示さている。ｐＭＤＩ３１５０は、キャニスタ５１を含むハウジング又はアクチュエータ３１５５を含む（図５２）。キャニスタ５１は、医薬製剤が入っている。キャニスタは、図１を参照して説明されたキャニスタ５１と同じ種類であり、絞り弁を有する缶を含むことが、理解されるであろう。キャニスタは、ハウジング３１５５内に位置する。
【０２２８】
ハウジング３１５５は、キャニスタを受ける寸法につくられた管状のスリーブ部分３１５６を有する下側部分３２００、及び吸気オリフィス（又は空気出口）を画定する患者ポート３１５７の形態の（例えば、マウスピースの形態の）部分を含む。
【０２２９】
ハウジング３１５５は、また、本発明の一実施形態に従うリセット機構を含む上側部分３２０２も含む。
【０２３０】
図５２を参照すると、上側部分３２０２の分解図が提供されている。上側部分は、シリンダ３２０６、ピストン３２０８、トランスファカラー３２１０、ばね３２１４、アクチュエータ体３２１６、Ｏリング３２１８、マウスピースカバー３２２０を含む。
【０２３１】
図５３を参照すると、シリンダ３２０６は、成形された樹脂材料からつくられた一体の柱状体である。シリンダは、第１の、上側の、端３２３８において閉じられ、及び、第２の、下側の、縁３２４１において開いている。シリンダは、上述の実施形態とは異なり、リーク孔を有していない。
【０２３２】
図５４をみると、Ｏリング３２１８が示されている。Ｏリング３２１８は、普通の構成部品であり、樹脂材料に対して流体的封止を形成するように設計されたエラストマー材料からつくられる。
【０２３３】
図５５ａ及び図５５ｂを参照すると、ピストン３２０８が示されている。ピストン３２０８は、一体の成形された樹脂構成部品である。ピストン３２０８は、円盤様のピストンヘッド３２４４、中心の軸３２４２、３つの脚３２４６及びそこから軸方向に延びる３つの歯３２４８を含む。
【０２３４】
ピストンヘッド３２４４は、Ｏリング受けチャンネル部３２６０を含む。
【０２３５】
中心の軸３２４２は、ヘッド３２４４から軸方向に延びて、中心の軸方向ボア３２５０とともに３つの軸方向に延びるスロット３２５１を含む。
【０２３６】
脚３２４６は、軸３２４２のまわりに等間隔に配置されており、それぞれが、断面内で概ね「Ｌ」形状であり軸方向に延びている。
【０２３７】
歯３２４８は、ヘッド３２４４の周辺に近接して等間隔に配置されており、それぞれが、その自由端においてテーパ状の面３２４７を画定する。
【０２３８】
図５６ａから図５６ｃを参照すると、トランスファカラー３２１０が示されている。トランスファカラー３２１０は、一体の成形された樹脂構成部品である。トランスファカラー３２１８は、外側リング３２７０と内側リング３２７２を含む。
【０２３９】
外側リング３２７０は、概ね柱状であり、３つの等間隔に配置された外側タブ３２７４を画定する。
【０２４０】
内側リング３２７２もまた、概ね柱状であり、３つの等間隔に配置されたリブ３２７６によって外側リング３２７０に接続されている。内側リング３２７２は、それぞれがテーパ状の面３２８２を有する３つの軸方向に延びる歯３２８０を画定する。各歯に隣接して、リングは、それぞれがテーパ状の面３２８６を画定する、軸方向に延びる凹部３２８４を画定する。歯３２８０と凹部３２８４に反対に突出して、自由端３２９０を有する３つのトランスファ脚３２８８が設けられている。凹部３２８４は、トランスファ脚３２８８の中へ途中まで延びている。
【０２４１】
内側リング３２７２から半径方向に内向きに突出して、内側リング３２７２の中央でほとんど出会う自由端３２９４を有する３つのアーム３２９２が設けられている。アーム３２９２は、リブ３２７６と同じ円周位置にある。
【０２４２】
図５７を参照すると、ばね３２１４が詳細に示されている。ばね３２１４は、複数の構成部品エネルギー蓄積構成を利用するｐＭＤＩ１１５０及びｐＭＤＩ２１５０とは対照的に、一体のエネルギー蓄積構成として作動する一体の、成形された、樹脂構成部品である。
【０２４３】
ばね３２１４は、第１の、上側の、端３３２２と第２の、下側の、端３３２４を有する、概ね柱状である管状ばね胴体３３１８を含む。ばね胴体３３１８は、第１の、上側の、領域３３２６と第２の、下側の領域３３２８を有する。
【０２４４】
第１の領域３３２６は、軸方向に伸張性があり弾性がある。これは、胴体３３１８の壁を通して一連の６列のスロット様の開口３３３０を形成することによって達成される。各列は、胴体３３１８の周囲の周りに等間隔に配置された６つの開口３３３０を含む。開口３３３０は、第１の領域３３２６が伸縮自在に伸びることができ、図５７に示されている休止状態へ戻るように、形成されている。第２の領域３３２８は、第１と第２の一対の、それぞれ、外に向かって延び、直径方向に対向するペグ３３３２、３３３４を含む。ペグ３３３２、３３３４は、柱状である。第１の一対のペグ３３３４は、第１の領域３３２６に隣接して位置し、第２のペグは、第２の端３３２４に近接して位置する。
【０２４５】
胴体３３１８の第１の端３３２２は、３つの脚開口３３４０を画定する平らな面３３３８を末端とする。４つの軸方向に延びる平らなばね部材３３４２が、設けられて面３３３８から突出している。ばね部材３３４２のうちの２つは、一対として設けられており、そのように、ばね部材は、等距離に間隔をあけられた３つのグループ（２つの個々の部材と１つの一対）に位置する。部材３３４２は、概ね方形である。面３３３８の中央には、位置決めピン３３４４が設けられている。
【０２４６】
図５８ａ及び図５８ｂを参照すると、アクチュエータ体３２１６が詳細に示されている。図５８ｂは、図５８ａの面Ｂを通る断面図である。アクチュエータ体３２１６は、第１の、上側の、部分３３５６と第２の、下側の、部分３３５８を含む。部分３３５６、３３５８は、下側の端で開いている空洞を囲む概ね細長いハウジングを画定する。
【０２４７】
第１の部分３３５６は、概ね柱状であり、端壁３３６０によって閉じられた第１の、上側端を有する。トランスファカラー当接部３４３４は、その内側の面上に画定され、端３４３５を有する軸方向に延びるリブである。
【０２４８】
第２の部分３３５８は、断面において概ね方形であり、１対のショルダ３３６４を介して第１の部分３３５６に接合する。第２の部分３３５８は、開いた端３３６６を有する。一対の対向する円形のアパーチャ３３６８が、ショルダ３３６４に近接する第２の部分の対向する壁に設けられている。各アパーチャ３３６８は、外向きに突出する接線方向の切欠き３３７０を画定する。アパーチャ両方は、マウスピースカバー軸Ｍ上にある。第２の部分３３５８の対応する内部側壁に沿って各アパーチャ３３６８から延びる、ばねペグ溝３３７２が、設けられている。ばねペグ溝３３７２は、切欠き３３７０に実質的に対向する位置から始まり、開いた端３３６６へ第２の部３３５８内で軸方向に延びる。
【０２４９】
図５９を参照すると、マウスピースカバー３２２０がより詳細に示されている。マウスピースカバー３２２０は、一体の、成形された樹脂構成部品である。マウスピースカバー３２２０は、キャップ３３７４と互いの鏡像である２つのアーム３３７６を含む。
【０２５０】
キャップ３３７４は、吸入器患者ポート３１５７のマウスピースを封止するのに適した内部凹状の構造である。キャップ３３７４は、閉じた端３３７８と開いた端３３８０を有する。キャップ３３７４は、アーム３３７６が開いた端３３８０に近接してそこから延びる、一対の対向する側壁３３８２を画定する。
【０２５１】
各アーム３３７６は、自由端３３８４へ延びる、細長い、概ね平らな構造である。自由端に、かつ各アーム３３７６の内向きに対向する面上に、カム３３８６が設けられている。カムは、アンダーカット部分を有するローブ３３８７を含む。
【０２５２】
カム３３８６は、形状においてカム３８６と同様であり、外側半径、及び半径方向に内向きに延びるペグ受け切欠き３３９０を有する。
【０２５３】
アセンブリ
上記の全ての構成部品は、主軸Ｘ上に整列されている。図６０ａから図６０ｃを（図５２の分解図も合わせて）参照すると、ｐＭＤＩ３１５０は、組み立てられた状態で、休止状態で（保管用に用いられ、概ね動作中でないとき）、示されている。
【０２５４】
トランスファカラー３２１０とばね３２１４は、脚開口３３４０の中にトランスファ脚３２８８を通すことによって組み立てられる。図６０ｃを参照すると、開口３３４０は、脚３２８８よりも長く、そうなので、軸Ｘのまわりにばね３２１４に相対的にトランスファカラー３２１０の回転の所定の角度（約１０度）を可能にする。ばね部材３３４２は、内側リング３２７２を通って突出する。
【０２５５】
図６０ｂを参照すると、ピストン３２０８は、スロット３２５１に入るアーム３２９２の自由端３２９４の間に中心の軸３２４２を挿入することによって、トランスファカラー３２１０とばね３２１４に組みつけられる。アーム３２９２はまた、ピストン３２０８の脚３２４６の端に当接している。軸方向ボア３２５０は、位置決めピン３３４４と嵌合する。そして、ピストン３２０８とばね３２１４が結合される。
【０２５６】
ピストン脚部３２４６それぞれは、図６０ｂの左上脚に関して見えるように１つの脚３２４６が２つのばね部材３３４２の間に捕捉されて、ばね部材３３４２に当接している。図６０ａを参照すると、ピストン３２０８の歯３２４８のテーパ状の面３２４７は、トランスファカラー３２１０の歯３２８０のテーパ状の面３２８２に当接している。
【０２５７】
図６０ａを参照すると、Ｏリング３２１８は、ピストン３２０８上の溝３２６０内に位置し、シリンダ３２０６は、ピストン３２０８にわたって組み付けられている。シリンダ３２０６の下側の縁３２４１は、トランスファカラー３２１０の外側リング３２７０の頂部に当接している。
【０２５８】
アセンブリは、トランスファカラー３２１０の外側タブ３２７４がトランスファカラー当接部３４３４に当接して、アクチュエータ体３２１６内に位置する（図６０ｂ）。ばね３２１４のペグ３３３２、３３３４は、ばねペグ溝３３７２に摺動可能に係合されている。マウスピースカバー３２２０は、アクチュエータ体３２１６上に組み付けられ、所定の位置に回転する。上述の実施形態と同様に、マウスピースカバー３２２０は、カム３３８６がアパーチャ３３６８に係合することができるように１つの回転位置にのみ組み付けられることができることがわかるであろう。マウスピース２２０のように、組み立ては、ハウジングと患者部分の下側部分が設けられる前にのみなされることができる（図１３ｄから図１３ｅ及び不随する説明参照）。ｐＭＤＩ１５０は、これを保持フランジ３７０によって達成し、一方、ｐＭＤＩ３１５０は、ローブ３３８７の存在のために、その１つの回転位置においてのみアパーチャ３３６８に入ることができる、成形されたカム３３９０を利用している。一旦係合すると、ローブ３３８７はアンダーカットされているので、マウスピースカバー３２２０は、マウスピースカバー軸Ｍのまわりに回転することができる。
【０２５９】
休止位置において、マウスピースカバー２２０のように、切欠き３３９０は、ばね３２１４の上側ペグ３３３２を捕捉する。
【０２６０】
動作
ｐＭＤＩ３１５０は、次のように用いられる。ｐＭＤＩ３１５０の動作は、以下に説明されるように多くの動作の状態又は段階を通して説明されるのが最適である。
【０２６１】
１．休止状態
休止状態が、図６０ａから図６０ｃに示されている。この状態で、キャニスタ５１は、ｐＭＤＩ内に設けられる。上述の実施形態と同様に、キャニスタ５１のステムは、ｐＭＤＩ３１５０内で静止しているステム当接部に当接する。休止状態において、キャニスタ５１の下方への移動は、トリガアセンブリ（ここには記載されないが、当業界において一般に知られている）の部分であるトリガ当接部によって禁止される。
【０２６２】
この位置で、キャニスタ５１は、ばね３２１４内に部分的に位置し（図６０ａ）、トランスファカラー３２１０の脚３２８８の自由端３２９０は、キャニスタ５１の底に当接する（それは逆さにされているため）。トランスファカラー３２１０は、次にはシリンダ３２０６を支持するピストン３２０８を支持している。ばね３２１４は、マウスピースカバー３２２０上の切り欠き３３９０とのペグ３３３２の係合によって、上に保持されている。ばね３２１４は、休止位置にあり、エネルギーを蓄えていない。
【０２６３】
２．準備された状態
この状態で、マウスピースカバー３２２０は、第１のペグ３３３２がばねペグ溝３７２の中に引かれてしまうように、マウスピースカバー軸Ｍのまわりに回転している。この動作は、ばね３３２６の第１の領域に張力を加える傾向があり、それを下方に引く。
【０２６４】
ばねを延ばしてそれによってばねを作動させるマウスピースカバー３２２０の動きは、第１実施形態と同様である。すなわち、マウスピースカバー３２２０の９０度の回転は、ペグ３３３２をほとんど完全に溝３３７２の中へと付勢する。この位置で、吸入器は、使用できない。なぜならば、もしユーザがマウスピースにユーザの口を当てようとするとマウスピースカバー３２２０がユーザの顔にぶつかってしまうことになるからである。
【０２６５】
約１３５度への回転は、ペグ３３３２がほとんど完全に溝３３７２内にあるようになる程度にカム３３８６を回転させる。このとき、切欠き３３９０がペグ３３３２を通過してしまっているので、マウスピースカバー３２２０の更なる回転は、ペグ３３３２の直線的な位置に影響を与えない。この位置で、マウスピースカバーは、使用者の顔とぶつかることになる位置にあるので、吸入器を使用することはできない。
【０２６６】
マウスピースカバーの最終的な準備された位置は、マウスピース３２２０を退かせるのみの役割を果たす（ばねは更には延ばされない）１８０度の角度にある。第１実施形態と同様に、この空動きは、マウスピースカバー３２２０が十分には回転していないときにユーザが吸入器を使おうとしても、ばね３２１４が十分に付勢されているので吸入器は正常に動作するであろうことを、確実にする。
【０２６７】
最初にばね３２１４にかかるこの下向きの力が作用してピストン３２０８を下方に引く（ピストン３２０８とばね３２１４は取り付けられている）。ピストンの下向きの動きは、ピストン歯３２４６のトランスファカラー歯３２８０との当接によって抵抗を受け、トランスファカラー３２１０は、トリガ機構によって保持されているキャニスタ５１によってピストン内に保持される。歯はテーパ状の面に当接する（トランスファカラー３２１０に方向−Ｒにトルクを生じさせる）が、トランスファカラー３２１０の回転は、トランスファカラー３２１０の外側タブ３２７４の、アクチュエータ体３２１６のトランスファカラー当接部３４３４との当接によって、抵抗を受ける。
【０２６８】
シリンダ３２０６の下向きの動きは、ピストン３２０６によって、及び、シリンダ３２０６の、トランスファカラー３２１０との当接によって、抵抗を受ける。
【０２６９】
したがって、休止状態と準備された状態との間の動きのみが、ばね３２１４の延びである。
【０２７０】
３．起動された状態
ユーザが薬剤を出したいとき、キャニスタ５１の下方への動きがもはや禁止されないようにトリガ当接部が動かされるトリガ機構（ここでは説明されない）が、起動される。
【０２７１】
キャニスタ５１の解放は、トランスファカラー３２１０とピストン３２０８を、取り付けられたピストン３２０８上のばね３２１４の張力によって引っ張られて、下方に動くように開放する。シリンダ３２０６も、図６１ａに示されているように、下方に動いている。ばね３２１４に蓄えられたエネルギーが開放されると、それは、弁ステムを弁ステム当接部上へ押す役割を果たす。これはまた、弁内の弁ばねのバイアスに対して作用して、キャニスタ５１を開き、薬剤の用量を放出する。この際、ばね３２１４からの力Ｆｓは、弁からの力Ｆｖを超えるので、用量の解放が確実になる（図６１）。
【０２７２】
４．自動開放状態
トランスファカラー３２１０の外側タブ３２７４は、トランスファカラー当接部３４３４の自由端３４３５を結局通過する。これは、トランスファカラー３２１０が軸Ｘのまわりに方向−Ｒに回転することを可能にする（図６２ａ）。この回転は、トランスファカラー歯３２８０のテーパ状の面３２８２に当接するピストン歯３２４８のテーパ状の面３２４７の当接によって生成されたトルクのために起こる（図６０ａ）。
【０２７３】
図６２ａに示されているように、アーム３２９２は、軸３２４２に依然として係合して脚３２４６に当接し、そうなので、トランスファカラー３２１０が回転するにつれて伸縮自在に及び弾性的に変形する必要がある（隠れ線がそれらの変形されていない状態を示す）。
【０２７４】
ピストン３２０８（これは回転できない、なぜならば、ピストンは、それ自体回転できない、ばね３２１４に結合されているからである）に相対的なトランスファカラー３２１０の回転の所定の角度において、トランスファカラー３２１０とピストン３２０８は、直線的な意味において引き離される（又は解放される）ことになる。換言すれば、カラー３２１０が回転すると、カラー３２１０とピストン３２０８によって形成されたクラッチが解放される。これは、図６２ｂに示されているように、ピストン歯３２４８が、ピストン３２０８とトランスファカラー３２１０との間で軸Ｘに沿う相対的な直線的動きを可能するトランスファカラー３２１０の凹部３２８４の中へ結局動くことができるからである。
【０２７５】
５．缶リセット状態
クラッチの開放は、今度は、システムを、反対の力をうける２つのサブアセンブリへ離間させる。図６３について説明する。
【０２７６】
一方で、キャニスタ弁におけるばねの復帰力Ｆｖは、トランスファカラー３２１０（キャニスタ５１を介して）に上向きの力を加え、これは次にはトランスファカラー３２１０とそしてシリンダ３２０６も持ち上げる。
【０２７７】
他方で、ばね３２１４に残っている張力Ｆｓは、ピストン３２０８を下方に引くように作用する。このため、キャニスタ５１がその休止（非作動）位置に戻るとき、その動きはピストン３２０８とシリンダ３２０６の離間によって制御される。シリンダ内に生成された減圧（又は少なくともとても低い空気圧）は、復帰を制動し、キャニスタがその休止状態に復帰する速度を制御する。
【０２７８】
ピストン３２０８とトランスファカラー３２１０は、十分に係合されることになる。トランスファカラーは、ピストン３２０８によって保持されて回転できないので、アーム３２９２の復元の下に回転して戻ることはできないが、縦の（軸方向の）意味において結局休止位置になる。
【０２７９】
６．休止状態への復帰
ユーザは、マウスピースカバー３２２０を回転させてその元の位置に戻す。これは、ばね３２１４の第１のペグ３３３２をその開始（休止）位置に向けて上方に引く効果を有する。この動きは、ピストン３２０８のシリンダ３２０６の中への再係合を可能にし、シリンダ３２０６はシリンダ内の減圧／低圧によってある程度付勢される。ピストン３２０８とトランスファカラー３２１０との離間は、アーム３２９２のバイアスの下でトランスファカラー３２１０がその元の回転位置へ回転することを可能にし、これによって、ピストン歯３２４８とトランスファカラー歯３２８０は、図６４に示されているように、縦の当接となる。
【０２８０】
上述の実施形態におけるバリエーションは、請求の範囲内に入ることが理解されるであろう。例えば、吸入器は、ｐＭＤＩである必要はなく、ＤＰＩ又は他の種類の吸入器であってよい。
【０２８１】
一側面において、本発明のある一実施形態は、加圧噴霧式定量吸入器、ドライパウダ吸入器又はポータブル噴霧器などの吸入器装置に応用されることができる。吸入器装置は、加圧噴霧式定量吸入器（ｐＭＤＩ）であることが特に好ましい。なぜならば、本機構は、ｐＭＤＩ装置を作動させるために患者が正確な方向で精確な量の力を加える適切な手段を提供することができるからである。装置を準備させること又は装置の起動とともにサンプルされる貯蔵器内に薬の貯蔵がある、ドライパウダ吸入器の場合には、貯蔵器はキャニスタ又は他の収容器であってもよい。ユーザによって吸入の用量を位置付けするため又はエネルギー蓄積構成のエネルギーを用いて用量をエアロゾル化する何れのためにも、用量は、エネルギー蓄積構成を用いてキャニスタから投与されてもよい。ポータブル噴霧器の場合は、典型的なそのような装置が、米国特許第５９６４４１６号に開示されている。その特許の図６ａ、図６ｂでは、キャニスタがばねによって囲まれている。患者ポート用のカバーは、加圧噴霧式定量吸入器用に本明細書に開示されたものと同様の機構を用いてばねを駆動するように構成されることができるであろう。
【０２８２】
一側面において、本発明のある実施形態は、加圧噴霧式定量吸入器、ドライパウダ吸入器又はポータブル噴霧器などの吸入器装置に応用されることができる。なぜならば、薬のエアロゾルを生成する機構は、一般的にマウスピースカバーの構成を限定しないからである。
【０２８３】
一側面において、本発明の一実施形態は、加圧噴霧式定量吸入器、ドライパウダ吸入器又はポータブル噴霧器などの吸入器装置に対して、上記最初の側面のこれらの装置に対すると同様の方法で、応用されることができる。ここで、米国特許出願第ＵＳ２００９／０１１４９２５Ａ１に示されたポータブル噴霧器は、キャニスタを囲む、軸方向に張力をかけられた駆動ばねを有する。
【図１】
2019526399.tif 000003
【図２】
2019526399.tif 000004
【図３】
2019526399.tif 000005
【図４】
2019526399.tif 000006
【図５】
2019526399.tif 000007
【図５ａ】
2019526399.tif 000008
【図６ａ】
2019526399.tif 000009
【図６ｂ】
2019526399.tif 000010
【図６ｃ】
2019526399.tif 000011
【図７】
2019526399.tif 000012
【図８ａ】
2019526399.tif 000013
【図８ｂ】
2019526399.tif 000014
【図９】
2019526399.tif 000015
【図１０】
2019526399.tif 000016
【図１１ａ】
2019526399.tif 000017
【図１１ｂ】
2019526399.tif 000018
【図１２ａ】
2019526399.tif 000019
【図１２ｂ】
2019526399.tif 000020
【図１３ａ】
2019526399.tif 000021
【図１３ｂ】
2019526399.tif 000022
【図１３ｃ】
2019526399.tif 000023
【図１３ｄ】
2019526399.tif 000024
【図１３ｅ】
2019526399.tif 000025
【図１３ｆ】
2019526399.tif 000026
【図１３ｇ】
2019526399.tif 000027
【図１４ａ】
2019526399.tif 000028
【図１４ｂ】
2019526399.tif 000029
【図１４ｃ】
2019526399.tif 000030
【図１４ｄ】
2019526399.tif 000031
【図１４ｅ】
2019526399.tif 000032
【図１４ｆ】
2019526399.tif 000033
【図１４ｇ】
2019526399.tif 000034
【図１４ｈ】
2019526399.tif 000035
【図１４ｉ】
2019526399.tif 000036
【図１５ａ】
2019526399.tif 000037
【図１５ｂ】
2019526399.tif 000038
【図１６ａ】
2019526399.tif 000039
【図１６ｂ】
2019526399.tif 000040
【図１６ｃ】
2019526399.tif 000041
【図１７ａ】
2019526399.tif 000042
【図１７ｂ】
2019526399.tif 000043
【図１８ａ】
2019526399.tif 000044
【図１８ｂ】
2019526399.tif 000045
【図１９】
2019526399.tif 000046
【図２０】
2019526399.tif 000047
【図２１ａ】
2019526399.tif 000048
【図２１ｂ】
2019526399.tif 000049
【図２２】
2019526399.tif 000050
【図２３ａ】
2019526399.tif 000051
【図２３ｂ】
2019526399.tif 000052
【図２４】
2019526399.tif 000053
【図２５】
2019526399.tif 000054
【図２６】
2019526399.tif 000055
【図２７】
2019526399.tif 000056
【図２８ａ】
2019526399.tif 000057
【図２８ｂ】
2019526399.tif 000058
【図２９】
2019526399.tif 000059
【図３０ａ】
2019526399.tif 000060
【図３０ｂ】
2019526399.tif 000061
【図３１ａ】
2019526399.tif 000062
【図３１ｂ】
2019526399.tif 000063
【図３１ｃ】
2019526399.tif 000064
【図３１ｄ】
2019526399.tif 000065
【図３１ｅ】
2019526399.tif 000066
【図３１ｆ】
2019526399.tif 000067
【図３１ｇ】
2019526399.tif 000068
【図３２ａ】
2019526399.tif 000069
【図３２ｂ】
2019526399.tif 000070
【図３２ｃ】
2019526399.tif 000071
【図３２ｄ】
2019526399.tif 000072
【図３２ｅ】
2019526399.tif 000073
【図３２ｆ】
2019526399.tif 000074
【図３２ｇ】
2019526399.tif 000075
【図３３】
2019526399.tif 000076
【図３４】
2019526399.tif 000077
【図３５】
2019526399.tif 000078
【図３６】
2019526399.tif 000079
【図３７】
2019526399.tif 000080
【図３８】
2019526399.tif 000081
【図３９ａ】
2019526399.tif 000082
【図３９ｂ】
2019526399.tif 000083
【図４０】
2019526399.tif 000084
【図４１ａ】
2019526399.tif 000085
【図４１ｂ】
2019526399.tif 000086
【図４２ａ】
2019526399.tif 000087
【図４２ｂ】
2019526399.tif 000088
【図４３ａ】
2019526399.tif 000089
【図４３ｂ】
2019526399.tif 000090
【図４４】
2019526399.tif 000091
【図４５ａ】
2019526399.tif 000092
【図４５ｂ】
2019526399.tif 000093
【図４６】
2019526399.tif 000094
【図４７ａ】
2019526399.tif 000095
【図４７ｂ】
2019526399.tif 000096
【図４７ｃ】
2019526399.tif 000097
【図４７ｄ】
2019526399.tif 000098
【図４８ａ】
2019526399.tif 000099
【図４８ｂ】
2019526399.tif 000100
【図４８ｃ】
2019526399.tif 000101
【図４９】
2019526399.tif 000102
【図５０】
2019526399.tif 000103
【図５１】
2019526399.tif 000104
【図５２】
2019526399.tif 000105
【図５３】
2019526399.tif 000106
【図５４】
2019526399.tif 000107
【図５５ａ】
2019526399.tif 000108
【図５５ｂ】
2019526399.tif 000109
【図５６ａ】
2019526399.tif 000110
【図５６ｂ】
2019526399.tif 000111
【図５６ｃ】
2019526399.tif 000112
【図５７】
2019526399.tif 000113
【図５８ａ】
2019526399.tif 000114
【図５８ｂ】
2019526399.tif 000115
【図５９】
2019526399.tif 000116
【図６０ａ】
2019526399.tif 000117
【図６０ｂ】
2019526399.tif 000118
【図６０ｃ】
2019526399.tif 000119
【図６１】
2019526399.tif 000120
【図６２ａ】
2019526399.tif 000121
【図６２ｂ】
2019526399.tif 000122
【図６３】
2019526399.tif 000123
【図６４】
2019526399.tif 000124
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
患者ポート、及び前記患者ポートを覆う閉位置と前記患者ポートがアクセス可能である開位置との間でカバー軸の周りに回転可能なカバーを有するハウジングと、
弾性部材を含み、薬剤収容器を受ける空間を画定する、前記ハウジング内のエネルギー蓄積構成とを含み、
前記カバー軸は前記空間と交わり、前記カバーは、前記閉位置から前記開位置に向けて回転する際に、前記弾性部材を駆動して内部にエネルギーを蓄積するように構成されている、吸入器。
【請求項２】
前記カバーの回転の際に前記弾性部材に直線的な力を生成するように、前記カバーと前記エネルギー蓄積構成との間にカムが設けられている、請求項１に記載の吸入器。
【請求項３】
前記カムは、前記カバーによって駆動される、前記カバー軸からオフセットされたカム部材を含み、前記カム部材は、前記エネルギー蓄積構成の係合構造に係合する、請求項２に記載の吸入器。
【請求項４】
前記弾性部材は前記係合構造を画定する、請求項３に記載の吸入器。
【請求項５】
第１のハウジング部分と、
患者ポートと、
前記患者ポートを覆う閉位置と前記患者ポートがアクセス可能である開位置との間の動きの動作範囲内でカバー軸のまわりに回転可能であるように、嵌合構造を介して前記第１のハウジング部分に搭載されたカバーとを含む、吸入器であって、
前記嵌合構造は、前記動きの動作範囲の外側にある前記カバーの少なくとも１つの所定の回転位置において、前記ハウジング部分と前記カバーとの組み立てを許容するように構成され、
前記カバーは、当該吸入器の更なる構成部品によって前記所定の回転位置又は位置の範囲に入ることが妨げられる、吸入器。
【請求項６】
前記更なる構成部品は第２のハウジング部分である、請求項５に記載の吸入器。
【請求項７】
前記第１のハウジング部分及び前記第２のハウジング部分は、薬剤収容器を受けるための容積を画定する、請求項６に記載の吸入器。
【請求項８】
患者ポート、及び前記患者ポートを覆う閉位置と前記患者ポートがアクセス可能である開位置との間でカバー軸の周りに回転可能なカバーを有するハウジングと、
薬剤収容器を受けるための空間を画定する、前記ハウジング内の伸張可能な弾性構造とを含み、
前記カバーは、前記閉位置から前記開位置に向けて回転する際に、前記弾性構造を駆動して内部にエネルギーを蓄積するように構成されている、吸入器。
【請求項９】
前記カバーの回転の際に前記弾性構造に直線的な力を生成するように、前記カバーと前記弾性構造との間にカムが設けられている、請求項８に記載の吸入器。
【請求項１０】
前記カムは、前記カバーによって駆動される、前記カバー軸からオフセットされたカム部材を含み、前記カム部材は、前記弾性構造に接続された受け構造に係合する、請求項９に記載の吸入器。
【国際調査報告】
2019526399.tif 000125
2019526399.tif 000126
2019526399.tif 000127